(57)【要約】本開示のある特定の態様は、多入力多出力（ＭＩＭＯ）送信方式を使用するビームフォーミングトレーニングに関する。本開示のある特定の態様は、ビームフォーミングトレーニングに関連付けられたフレームを生成するように構成された処理システムを一般的に含む装置を提供し、フレームは多入力多出力（ＭＩＭＯ）送信方式を使用してビームフォーミングトレーニングが実行されるべきかどうかのインジケーションを備える。装置はまた、送信のためにフレームを出力するように構成されたインターフェースを含み得る。【選択図】図7
2019507535.tif 000002
【特許請求の範囲】
【請求項１】
無線通信のための装置であって、
ビームフォーミングトレーニングに関連付けられたフレームを生成するように構成された処理システムと、前記フレームは多入力多出力（ＭＩＭＯ）送信方式を使用して前記ビームフォーミングトレーニングが実行されるべきかどうかのインジケーションを備え、
送信のために前記フレームを出力するように構成された第１のインターフェースと、
を備える、装置。
【請求項２】
前記フレームは、１つまたは複数のビットを備えるフィールドを備え、前記１つまたは複数のビットは、前記ＭＩＭＯ送信方式を使用して前記ビームフォーミングトレーニングが実行されるべきどうかの前記インジケーションを提供する、請求項１に記載の装置。
【請求項３】
前記フィールドは、ビーム微調整リクエストフィールドを備える、請求項２に記載の装置。
【請求項４】
前記１つまたは複数のビットはまた、前記ＭＩＭＯ送信方式に使用されるストリームの数を示す、請求項２に記載の装置。
【請求項５】
前記フィールドは、前記ＭＩＭＯ送信方式が単一ユーザ（ＳＵ）かマルチユーザ（ＭＵ）かどうかのインジケーションを提供する１つまたは複数の他のビットを備える、請求項２に記載の装置。
【請求項６】
前記第１のインターフェースは、フィードバックリクエストを送信のために出力するように構成され、
前記装置は、前記１つまたは複数の他のビットが前記ＭＩＭＯ送信方式はＭＵであると示す場合、前記フィードバックリクエストに応答して前記フレームに関連付けられたフィードバックを取得するように構成された第２のインターフェースをさらに備える、請求項５に記載の装置。
【請求項７】
前記第１のインターフェースは、前記ビームフォーミングトレーニングのマルチプルセクタＩＤ（ＭＩＤ）フェーズ中に前記フィードバックリクエストを送信のために出力するように構成される、請求項６に記載の装置。
【請求項８】
前記フレームは、前記ビームフォーミングトレーニングのための前記装置による使用のための残りのセクタの数を示すように構成されたカウンタを備える、請求項１に記載の装置。
【請求項９】
前記フレームは、前記フレームに応答して前記装置によって予期されるフィードバックのタイプを示すフィードバックタイプフィールドを備え、
前記カウンタは、前記フィードバックタイプフィールドに含まれる、請求項８に記載の装置。
【請求項１０】
前記フレームは、前記ＭＩＭＯ送信方式に関連付けられた無線周波数（ＲＦ）チェーンのインジケーションをさらに備える、請求項１に記載の装置。
【請求項１１】
前記フレームは、前記ＲＦチェーンの前記インジケーションを含むビーム微調整プロトコル（ＢＲＰ）フィールドを備える、請求項１０に記載の装置。
【請求項１２】
前記処理システムは、前記ビームフォーミングトレーニング中に、フレーム間のショートビームフォーミングインターフレームスペース（ＳＢＩＦＳ）にしたがって送信のために複数のフレームを生成するように構成される、請求項１に記載の装置。
【請求項１３】
フレーム間の前記ＳＢＩＦＳは、前記ビームフォーミングトレーニングのマルチプルセクタＩＤ（ＭＩＤ）フェーズ中に使用される、請求項１２に記載の装置。
【請求項１４】
前記フレームは、ＭＩＤリクエストの受信から独立して生成されるマルチプルセクタＩＤ（ＭＩＤ）許可フィールドを備える、請求項１に記載の装置。
【請求項１５】
前記ビームフォーミングトレーニングのＭＩＤフェーズ中に使用される少なくとも１つの第１のセクタのインジケーションを取得するように構成された第２のインターフェースをさらに備え、前記処理システムは、少なくとも１つの第２のセクタを使用して前記ビームフォーミングトレーニングの前記ＭＩＤフェーズを実行するように構成され、
前記少なくとも１つの第１のセクタのうちのいくつかのセクタは、前記少なくとも１つの第２のセクタのうちのいくつかのセクタと異なる、または、
前記少なくとも１つの第２のセクタは、前記少なくとも１つの第１のセクタ内にない１つまたは複数のセクタを備える、請求項１に記載の装置。
【請求項１６】
ワイヤレス通信のための装置であって、
ビームフォーミングトレーニングのマルチプルセクタＩＤキャプチャ（ＭＩＤＣ）フェーズ、前記ビームフォーミングトレーニングのマルチプルセクタＩＤ（ＭＩＤ）フェーズ、前記ビームフォーミングトレーニングのＭＩＤおよびビーム結合（ＢＣ）フェーズ、または前記ビームフォーミングトレーニングのＢＣフェーズのうちの少なくとも１つの間に、送信のためにセクタスイープ（ＳＳＷ）フレームを生成するように構成された処理システムと、
前記ＳＳＷフレームを送信のために出力するように構成されたインターフェースと、
を備える、装置。
【請求項１７】
前記ＳＳＷフレームは、少なくとも１つのトレーニング（ＴＲＮ）フィールドを備える、請求項１６に記載の装置。
【請求項１８】
前記処理システムは、前記ビームフォーミングトレーニングに関連付けられたフレームを生成するようにさらに構成され、前記フレームは多入力多出力（ＭＩＭＯ）送信方式を使用して前記ビームフォーミングトレーニングが実行されるべきかどうかのインジケーションを備え、
前記第１のインターフェースは、送信のために前記フレームを出力するようにさらに構成される、請求項１６に記載の装置。
【請求項１９】
前記フレームは、１つまたは複数のビットを備えるフィールドを備え、前記１つまたは複数のビットは、前記ＭＩＭＯ送信方式を使用して前記ビームフォーミングトレーニングが実行されるべきどうかの前記インジケーションを提供する、請求項１８に記載の装置。
【請求項２０】
前記フィールドは、ビーム微調整リクエストフィールドを備える、請求項１９に記載の装置。
【請求項２１】
前記１つまたは複数のビットはまた、前記ＭＩＭＯ送信方式に使用されるストリームの数を示す、請求項１９に記載の装置。
【請求項２２】
前記フィールドは、前記ＭＩＭＯ送信方式が単一ユーザ（ＳＵ）かマルチユーザ（ＭＵ）かどうかのインジケーションを提供する１つまたは複数の他のビットを備える、請求項１９に記載の装置。
【請求項２３】
無線通信のための装置であって、
ビームフォーミングトレーニングに関連付けられたフレームを生成するように構成された処理システムと、前記フレームは、少なくとも１つのセクタスイープ（ＳＳＷ）フィールドを備え、前記ＳＳＷフィールドは、前記ビームフォーミングトレーニング中に使用されるＭＩＭＯ送信方式に関連付けられたＲＦチェーンのインジケーションを備える、
送信のために前記フレームを出力するように構成されたインターフェースと、  を備える、装置。
【請求項２４】
前記処理システムは、前記ビームフォーミングトレーニングに関連付けられた別のフレームを生成するようにさらに構成され、前記別のフレームは多入力多出力（ＭＩＭＯ）送信方式を使用して前記ビームフォーミングトレーニングが実行されるべきかどうかのインジケーションを備え、
前記第１のインターフェースは、送信のために前記別のフレームを出力するようにさらに構成される、請求項２３に記載の装置。
【請求項２５】
前記別のフレームは、１つまたは複数のビットを備えるフィールドを備え、前記１つまたは複数のビットは、前記ＭＩＭＯ送信方式を使用して前記ビームフォーミングトレーニングが実行されるべきかどうかの前記インジケーションを提供する、請求項２４に記載の装置。
【請求項２６】
前記フィールドは、ビーム微調整リクエストフィールドを備える、請求項２５に記載の装置。
【請求項２７】
前記１つまたは複数のビットはまた、前記ＭＩＭＯ送信方式に使用されるストリームの数を示す、請求項２５に記載の装置。
【請求項２８】
前記フィールドは、前記ＭＩＭＯ送信方式が単一ユーザ（ＳＵ）かマルチユーザ（ＭＵ）かどうかのインジケーションを提供する１つまたは複数の他のビットを備える、請求項２５に記載の装置。
【請求項２９】
無線通信のための装置であって、
ビームフォーミングトレーニングに関連付けられたフレームを取得するように構成された第１のインターフェースと、前記フレームは多入力多出力（ＭＩＭＯ）送信方式を使用して前記ビームフォーミングトレーニングが実行されるべきかどうかのインジケーションを備え、
前記ＭＩＭＯ送信方式を使用して前記ビームフォーミングトレーニングが実行されるべきかどうかの前記インジケーションに基づいて前記ビームフォーミングトレーニングを実行するように構成された処理システムと、
を備える、装置。
【請求項３０】
前記フレームは、１つまたは複数のビットを備えるフィールドを備え、前記１つまたは複数のビットは、前記ＭＩＭＯ送信方式を使用して前記ビームフォーミングトレーニングが実行されるべきどうかの前記インジケーションを提供する、請求項２９に記載の装置。
【請求項３１】
前記１つまたは複数のビットはまた、前記ＭＩＭＯ送信方式に使用されるストリームの数を示し、
前記処理システムは、前記示されたストリームの数に基づいて前記ビームフォーミングトレーニングを実行するように構成される、請求項３０に記載の装置。
【請求項３２】
前記フィールドは、前記ＭＩＭＯ送信方式が単一ユーザ（ＳＵ）かマルチユーザ（ＭＵ）かどうかのインジケーションを提供する１つまたは複数の他のビットを備え、
前記処理システムは、前記ＭＩＭＯ送信方式がＳＵかＭＵかどうかの前記インジケーションに基づいて前記ビームフォーミングトレーニングを実行するようにさらに構成される、請求項３０に記載の装置。
【請求項３３】
前記第１のインターフェースは、フィードバックリクエストを出力するように構成され、
前記装置は、前記１つまたは複数の他のビットが前記ＭＩＭＯ送信方式はＭＵであると示す場合、前記フィードバックリクエストに応答して前記フレームに関連付けられたフィードバックを出力するように構成された第２のインターフェースをさらに備える、請求項３２に記載の装置。
【請求項３４】
前記第１のインターフェースは、前記ビームフォーミングトレーニングのマルチプルセクタＩＤ（ＭＩＤ）フェーズ中に前記フィードバックリクエストを取得するように構成される、請求項３３に記載の装置。
【請求項３５】
前記１つまたは複数の他のビットが前記ＭＩＭＯ送信方式はＭＵであると示す場合、時間期間後に前記フレームに関連付けられたフィードバックを出力するように構成された第２のインターフェースをさらに備え、前記時間期間は、ＭＵ送信シーケンスに基づいて決定される、請求項３２に記載の装置。
【請求項３６】
前記フレームは、前記ビームフォーミングトレーニングのための前記装置による使用のための残りのセクタの数を示すように構成されたカウンタを備える、請求項２９に記載の装置。
【請求項３７】
前記フレームは、前記フレームに応答して送られるフィードバックのタイプを示すフィードバックタイプフィールドを備え、
前記カウンタは、前記フィードバックタイプフィールドに含まれる、請求項３６に記載の装置。
【請求項３８】
前記フレームは、前記ＭＩＭＯ送信方式に関連付けられた無線周波数（ＲＦ）チェーンのインジケーションをさらに備え、
前記処理システムは、前記ＭＩＭＯ送信方式に関連付けられた前記ＲＦチェーンの前記インジケーションに基づいてビームフォーミングトレーニングを実行するように構成される、請求項２９に記載の装置。
【請求項３９】
前記フレームは、前記ＲＦチェーンの前記インジケーションを含むビーム微調整プロトコル（ＢＲＰ）フィールドを備える、請求項３８に記載の装置。
【請求項４０】
前記第１のインターフェースは、前記ビームフォーミングトレーニング中に、フレーム間のショートビームフォーミングインターフレームスペース（ＳＢＩＦＳ）にしたがって、複数のフレームを取得するように構成される、請求項２９に記載の装置。
【請求項４１】
フレーム間の前記ＳＢＩＦＳは、前記ビームフォーミングトレーニングのマルチプルセクタＩＤ（ＭＩＤ）フェーズ中に使用される、請求項４０に記載の装置。
【請求項４２】
前記フレームは、ＭＩＤリクエストの受信から独立して生成されるマルチプルセクタＩＤ（ＭＩＤ）許可フィールドを備える、請求項２９に記載の装置。
【請求項４３】
前記ビームフォーミングトレーニングのＭＩＤフェーズ中に使用される少なくとも１つの第１のセクタのインジケーションを出力するように構成された第２のインターフェースをさらに備え、
前記処理システムは、少なくとも１つの第２のセクタを使用して前記ビームフォーミングトレーニングの前記ＭＩＤフェーズを実行するように構成され、
前記少なくとも１つの第１のセクタのうちのいくつかのセクタは、前記少なくとも１つの第２のセクタのうちのいくつかのセクタと異なる、または、
前記少なくとも１つの第２のセクタは、前記少なくとも１つの第１のセクタ内にない１つまたは複数のセクタを備える、請求項２９に記載の装置。
【請求項４４】
無線通信のための装置であって、
ビームフォーミングトレーニングのマルチプルセクタＩＤキャプチャ（ＭＩＤＣ）フェーズ、前記ビームフォーミングトレーニングのマルチプルセクタＩＤ（ＭＩＤ）フェーズ、前記ビームフォーミングトレーニングのＭＩＤおよびビーム結合（ＢＣ）フェーズ、または前記ビームフォーミングトレーニングのＢＣフェーズのうちの少なくとも１つの間に、セクタスイープ（ＳＳＷ）フレームを取得するように構成されたインターフェースと、
前記ＳＳＷフレームを使用して前記ビームフォーミングトレーニングを実行するように構成された処理システムと、
を備える、装置。
【請求項４５】
前記ＳＳＷフレームは、少なくとも１つのトレーニング（ＴＲＮ）フィールドを備える、請求項４４に記載の装置。
【請求項４６】
前記第１のインターフェースは、前記ビームフォーミングトレーニングに関連付けられたフレームを取得するようにさらに構成され、前記フレームは多入力多出力（ＭＩＭＯ）送信方式を使用して前記ビームフォーミングトレーニングが実行されるべきかどうかのインジケーションを備え、
前記処理システムは、前記ＭＩＭＯ送信方式を使用して前記ビームフォーミングトレーニングが実行されるべきかどうかの前記インジケーションに基づいて前記ビームフォーミングトレーニングを実行するように構成される、請求項４４に記載の装置。
【請求項４７】
前記フレームは、１つまたは複数のビットを備えるフィールドを備え、前記１つまたは複数のビットは、前記ＭＩＭＯ送信方式を使用して前記ビームフォーミングトレーニングが実行されるべきどうかの前記インジケーションを提供する、請求項４６に記載の装置。
【請求項４８】
前記フィールドは、ビーム微調整リクエストフィールドを備える、請求項４７に記載の装置。
【請求項４９】
前記１つまたは複数のビットはまた、前記ＭＩＭＯ送信方式に使用されるストリームの数を示し、
前記処理システムは、前記示されたストリームの数に基づいて前記ビームフォーミングトレーニングを実行するように構成される、請求項４７に記載の装置。
【請求項５０】
前記フィールドは、前記ＭＩＭＯ送信方式が単一ユーザ（ＳＵ）かマルチユーザ（ＭＵ）かどうかのインジケーションを提供する１つまたは複数の他のビットを備え、
前記処理システムは、前記ＭＩＭＯ送信方式が単一ユーザ（ＳＵ）かマルチユーザ（ＭＵ）かどうかの前記インジケーションに基づいて前記ビームフォーミングトレーニングを実行するようにさらに構成される、請求項４７に記載の装置。
【請求項５１】
無線通信のための装置であって、
ビームフォーミングトレーニングに関連付けられたフレームを取得するように構成されたインターフェースと、前記フレームは、少なくとも１つのセクタスイープ（ＳＳＷ）フィールドを備え、前記ＳＳＷフィールドは、前記ビームフォーミングトレーニング中に使用されるＭＩＭＯ送信方式に関連付けられたＲＦチェーンのインジケーションを備える、
前記ＭＩＭＯ送信方式に関連付けられた前記ＲＦチェーンの前記インジケーションに基づいて前記ビームフォーミングトレーニングを実行するように構成された処理システムと、
を備える、装置。
【請求項５２】
前記第１のインターフェースは、前記ビームフォーミングトレーニングに関連付けられた別のフレームを取得するようにさらに構成され、前記別のフレームは多入力多出力（ＭＩＭＯ）送信方式を使用して前記ビームフォーミングトレーニングが実行されるべきかどうかのインジケーションを備え、
前記処理システムは、前記ＭＩＭＯ送信方式を使用して前記ビームフォーミングトレーニングが実行されるべきかどうかの前記インジケーションに基づいて前記ビームフォーミングトレーニングを実行するように構成される、請求項５１に記載の装置。
【請求項５３】
前記別のフレームは、１つまたは複数のビットを備えるフィールドを備え、前記１つまたは複数のビットは、前記ＭＩＭＯ送信方式を使用して前記ビームフォーミングトレーニングが実行されるべきかどうかの前記インジケーションを提供する、請求項５２に記載の装置。
【請求項５４】
前記フィールドは、ビーム微調整リクエストフィールドを備える、請求項５３に記載の装置。
【請求項５５】
前記１つまたは複数のビットはまた、前記ＭＩＭＯ送信方式に使用されるストリームの数を示し、
前記処理システムは、前記示されたストリームの数に基づいて前記ビームフォーミングトレーニングを実行するように構成される、請求項５３に記載の装置。
【請求項５６】
前記フィールドは、前記ＭＩＭＯ送信方式が単一ユーザ（ＳＵ）かマルチユーザ（ＭＵ）かどうかのインジケーションを提供する１つまたは複数の他のビットを備え、
前記処理システムは、前記ＭＩＭＯ送信方式が単一ユーザ（ＳＵ）かマルチユーザ（ＭＵ）かどうかの前記インジケーションに基づいて前記ビームフォーミングトレーニングを実行するようにさらに構成される、請求項５３に記載の装置。
【請求項５７】
ワイヤレス通信のための方法であって、
ビームフォーミングトレーニングに関連付けられたフレームを生成することと、前記フレームは多入力多出力（ＭＩＭＯ）送信方式を使用して前記ビームフォーミングトレーニングが実行されるべきかどうかのインジケーションを備え、
送信のために前記フレームを出力することと、
を備える、方法。
【請求項５８】
前記フレームは、１つまたは複数のビットを備えるフィールドを備え、前記１つまたは複数のビットは、前記ＭＩＭＯ送信方式を使用して前記ビームフォーミングトレーニングが実行されるべきかどうかの前記インジケーションを提供する、請求項５７に記載の方法。
【請求項５９】
前記フィールドは、ビーム微調整リクエストフィールドを備える、請求項５８に記載の方法。
【請求項６０】
前記１つまたは複数のビットはまた、前記ＭＩＭＯ送信方式に使用されるストリームの数を示す、請求項５８に記載の方法。
【請求項６１】
前記フィールドは、前記ＭＩＭＯ送信方式が単一ユーザ（ＳＵ）かマルチユーザ（ＭＵ）かどうかのインジケーションを提供する１つまたは複数の他のビットを備える、請求項５８に記載の方法。
【請求項６２】
フィードバックリクエストを送信のために出力することと、
前記１つまたは複数の他のビットが前記ＭＩＭＯ送信方式はＭＵであると示す場合、前記フィードバックリクエストに応答して前記フレームに関連付けられたフィードバックを取得することと、
をさらに備える、請求項６１に記載の方法。
【請求項６３】
前記フィードバックリクエストを送信のために出力することは、前記ビームフォーミングトレーニングのマルチプルセクタＩＤ（ＭＩＤ）フェーズ中に実行される、請求項６２に記載の方法。
【請求項６４】
前記フレームは、前記ビームフォーミングトレーニングのための残りのセクタの数を示すように構成されたカウンタを備える、請求項５７に記載の方法。
【請求項６５】
前記フレームは、前記フレームに応答して予期されるフィードバックのタイプを示すフィードバックタイプフィールドを備え、
前記カウンタは、前記フィードバックタイプフィールドに含まれる、請求項６４に記載の方法。
【請求項６６】
前記フレームは、前記ＭＩＭＯ送信方式に関連付けられた無線周波数（ＲＦ）チェーンのインジケーションをさらに備える、請求項５７に記載の方法。
【請求項６７】
前記フレームは、前記ＲＦチェーンの前記インジケーションを含むビーム微調整プロトコル（ＢＲＰ）フィールドを備える、請求項６６に記載の方法。
【請求項６８】
前記ビームフォーミングトレーニング中に、フレーム間のショートビームフォーミングインターフレームスペース（ＳＢＩＦＳ）にしたがって送信のために複数のフレームを生成することをさらに備える、請求項５７に記載の方法。
【請求項６９】
フレーム間の前記ＳＢＩＦＳは、前記ビームフォーミングトレーニングのマルチプルセクタＩＤ（ＭＩＤ）フェーズ中に使用される、請求項６８に記載の方法。
【請求項７０】
前記フレームは、ＭＩＤリクエストの受信から独立して生成されるマルチプルセクタＩＤ（ＭＩＤ）許可フィールドを備える、請求項５７に記載の方法。
【請求項７１】
前記ビームフォーミングトレーニングのＭＩＤフェーズ中に使用される少なくとも１つの第１のセクタのインジケーションを取得することと、
少なくとも１つの第２のセクタを使用して前記ビームフォーミングトレーニングの前記ＭＩＤフェーズを実行することと、をさらに備え、
前記少なくとも１つの第１のセクタのうちのいくつかのセクタは、前記少なくとも１つの第２のセクタのうちのいくつかのセクタと異なる、または、
前記少なくとも１つの第２のセクタは、前記少なくとも１つの第１のセクタ内にない１つまたは複数のセクタを備える、請求項５７に記載の方法。
【請求項７２】
ワイヤレス通信のための方法であって、
ビームフォーミングトレーニングのマルチプルセクタＩＤキャプチャ（ＭＩＤＣ）フェーズ、前記ビームフォーミングトレーニングのマルチプルセクタＩＤ（ＭＩＤ）フェーズ、前記ビームフォーミングトレーニングのＭＩＤおよびビーム結合（ＢＣ）フェーズ、または前記ビームフォーミングトレーニングのＢＣフェーズのうちの少なくとも１つの間に、送信のためにセクタスイープ（ＳＳＷ）フレームを生成することと、
送信のために前記ＳＳＷフレームを出力することと、
を備える、方法。
【請求項７３】
前記ＳＳＷフレームは、少なくとも１つのトレーニング（ＴＲＮ）フィールドを備える、請求項７２に記載の方法。
【請求項７４】
前記ビームフォーミングトレーニングに関連付けられたフレームを生成することと、前記フレームは多入力多出力（ＭＩＭＯ）送信方式を使用して前記ビームフォーミングトレーニングが実行されるべきかどうかのインジケーションを備え、
送信のために前記フレームを出力することと、
をさらに備える、請求項７２に記載の方法。
【請求項７５】
前記フレームは、１つまたは複数のビットを備えるフィールドを備え、前記１つまたは複数のビットは、前記ＭＩＭＯ送信方式を使用して前記ビームフォーミングトレーニングが実行されるべきかどうかの前記インジケーションを提供する、請求項７４に記載の方法。
【請求項７６】
前記フィールドは、ビーム微調整リクエストフィールドを備える、請求項７５に記載の方法。
【請求項７７】
前記１つまたは複数のビットはまた、前記ＭＩＭＯ送信方式に使用されるストリームの数を示す、請求項７５に記載の方法。
【請求項７８】
前記フィールドは、前記ＭＩＭＯ送信方式が単一ユーザ（ＳＵ）かマルチユーザ（ＭＵ）かどうかのインジケーションを提供する１つまたは複数の他のビットを備える、請求項７５に記載の方法。
【請求項７９】
ワイヤレス通信のための方法であって、
ビームフォーミングトレーニングに関連付けられたフレームを生成することと、前記フレームは、少なくとも１つのセクタスイープ（ＳＳＷ）フィールドを備え、前記ＳＳＷフィールドは、前記ビームフォーミングトレーニング中に使用されるＭＩＭＯ送信方式に関連付けられたＲＦチェーンのインジケーションを備え、
送信のために前記フレームを出力することと、
を備える、方法。
【請求項８０】
前記ビームフォーミングトレーニングに関連付けられた別のフレームを生成することと、前記別のフレームは多入力多出力（ＭＩＭＯ）送信方式を使用して前記ビームフォーミングトレーニングが実行されるべきかどうかのインジケーションを備える、
送信のために前記別のフレームを出力することと、請求項７９に記載の方法。
【請求項８１】
前記別のフレームは、１つまたは複数のビットを備えるフィールドを備え、前記１つまたは複数のビットは、前記ＭＩＭＯ送信方式を使用して前記ビームフォーミングトレーニングが実行されるべきかどうかの前記インジケーションを提供する、請求項８０に記載の方法。
【請求項８２】
前記フィールドは、ビーム微調整リクエストフィールドを備える、請求項８１に記載の方法。
【請求項８３】
前記１つまたは複数のビットはまた、前記ＭＩＭＯ送信方式に使用されるストリームの数を示す、請求項８１に記載の方法。
【請求項８４】
前記フィールドは、前記ＭＩＭＯ送信方式が単一ユーザ（ＳＵ）かマルチユーザ（ＭＵ）かどうかのインジケーションを提供する１つまたは複数の他のビットを備える、請求項８１に記載の方法。
【請求項８５】
ワイヤレス通信のための方法であって、
ビームフォーミングトレーニングに関連付けられたフレームを取得することと、前記フレームは多入力多出力（ＭＩＭＯ）送信方式を使用して前記ビームフォーミングトレーニングが実行されるべきかどうかのインジケーションを備え、
前記ＭＩＭＯ送信方式を使用して前記ビームフォーミングトレーニングが実行されるべきかどうかの前記インジケーションに基づいて前記ビームフォーミングトレーニングを実行することと、
を備える、方法。
【請求項８６】
前記フレームは、１つまたは複数のビットを備えるフィールドを備え、前記１つまたは複数のビットは、前記ＭＩＭＯ送信方式を使用して前記ビームフォーミングトレーニングが実行されるべきかどうかの前記インジケーションを提供する、請求項８５に記載の方法。
【請求項８７】
前記１つまたは複数のビットはまた、前記ＭＩＭＯ送信方式に使用されるストリームの数を示し、前記方法は、前記示されたストリームの数に基づいて前記ビームフォーミングトレーニングを実行することをさらに備える、請求項８６に記載の方法。
【請求項８８】
前記フィールドは、前記ＭＩＭＯ送信方式が単一ユーザ（ＳＵ）かマルチユーザ（ＭＵ）かどうかのインジケーションを提供する１つまたは複数の他のビットを備え、
前記方法は、前記ＭＩＭＯ送信方式が単一ユーザ（ＳＵ）かマルチユーザ（ＭＵ）かどうかの前記インジケーションに基づいて前記ビームフォーミングトレーニングを実行することをさらに備える、請求項８６に記載の方法。
【請求項８９】
フィードバックリクエストを取得することと、
前記１つまたは複数の他のビットが前記ＭＩＭＯ送信方式はＭＵであると示す場合、前記フィードバックリクエストに応答して前記フレームに関連付けられたフィードバックを出力することと、
さらに備える、請求項８８に記載の方法。
【請求項９０】
前記第１のインターフェースは、前記ビームフォーミングトレーニングのマルチプルセクタＩＤ（ＭＩＤ）フェーズ中に前記フィードバックリクエストを取得するように構成される、請求項８９に記載の方法。
【請求項９１】
前記１つまたは複数の他のビットが前記ＭＩＭＯ送信方式はＭＵであると示す場合、時間期間後に前記フレームに関連付けられたフィードバックを出力することをさらに備え、前記時間期間は、マルチユーザ送信シーケンスに基づいて決定される、請求項８８に記載の方法。
【請求項９２】
前記フレームは、前記ビームフォーミングトレーニングのための残りのセクタの数を示すように構成されたカウンタを備える、請求項５８に記載の方法。
【請求項９３】
前記フレームは、前記フレームに応答して送られるフィードバックのタイプを示すフィードバックタイプフィールドを備え、
前記カウンタは、前記フィードバックタイプフィールドに含まれる、請求項９２に記載の方法。
【請求項９４】
前記フレームは、前記ＭＩＭＯ送信方式に関連付けられた無線周波数（ＲＦ）チェーンのインジケーションをさらに備え、
前記方法は、前記ＭＩＭＯ送信方式に関連付けられた前記ＲＦチェーンの前記インジケーションに基づいてビームフォーミングトレーニングを実行することをさらに備える、請求項５８に記載の方法。
【請求項９５】
前記フレームは、前記ＲＦチェーンの前記インジケーションを含むビーム微調整プロトコル（ＢＲＰ）フィールドを備える、請求項９４に記載の方法。
【請求項９６】
前記ビームフォーミングトレーニング中に、フレーム間のショートビームフォーミングインターフレームスペース（ＳＢＩＦＳ）にしたがって複数のフレームを取得することをさらに備える、請求項５８に記載の方法。
【請求項９７】
フレーム間の前記ＳＢＩＦＳは、前記ビームフォーミングトレーニングのマルチプルセクタＩＤ（ＭＩＤ）フェーズ中に使用される、請求項９６に記載の方法。
【請求項９８】
前記フレームは、ＭＩＤリクエストの受信から独立して生成されるマルチプルセクタＩＤ（ＭＩＤ）許可フィールドを備える、請求項５８に記載の方法。
【請求項９９】
前記ビームフォーミングトレーニングのＭＩＤフェーズ中に使用される少なくとも１つの第１のセクタのインジケーションを出力することと、
少なくとも１つの第２のセクタを使用して前記ビームフォーミングトレーニングの前記ＭＩＤフェーズを実行することと、をさらに備え、
前記少なくとも１つの第１のセクタのうちのいくつかのセクタは、前記少なくとも１つの第２のセクタのうちのいくつかのセクタと異なる、または、
前記少なくとも１つの第２のセクタは、前記少なくとも１つの第１のセクタ内にない１つまたは複数のセクタを備える、請求項５８に記載の方法。
【請求項１００】
ワイヤレス通信のための方法であって、
ビームフォーミングトレーニングのマルチプルセクタＩＤキャプチャ（ＭＩＤＣ）フェーズ、前記ビームフォーミングトレーニングのマルチプルセクタＩＤ（ＭＩＤ）フェーズ、前記ビームフォーミングトレーニングのＭＩＤおよびビーム結合（ＢＣ）フェーズ、または前記ビームフォーミングトレーニングのＢＣフェーズのうちの少なくとも１つの間に、セクタスイープ（ＳＳＷ）フレームを取得することと、
前記ＳＳＷフレームを使用して前記ビームフォーミングトレーニングを実行することと、
を備える、方法。
【請求項１０１】
前記ＳＳＷフレームは、少なくとも１つのトレーニング（ＴＲＮ）フィールドを備える、請求項１００に記載の方法。
【請求項１０２】
前記ビームフォーミングトレーニングに関連付けられたフレームを取得することと、前記フレームは多入力多出力（ＭＩＭＯ）送信方式を使用して前記ビームフォーミングトレーニングが実行されるべきかどうかのインジケーションを備え、
前記ＭＩＭＯ送信方式を使用して前記ビームフォーミングトレーニングが実行されるべきかどうかの前記インジケーションに基づいて前記ビームフォーミングトレーニングを実行することと、
をさらに備える、請求項１００に記載の方法。
【請求項１０３】
前記フレームは、１つまたは複数のビットを備えるフィールドを備え、前記１つまたは複数のビットは、前記ＭＩＭＯ送信方式を使用して前記ビームフォーミングトレーニングが実行されるべきかどうかの前記インジケーションを提供する、請求項１０２に記載の方法。
【請求項１０４】
前記フィールドは、ビーム微調整リクエストフィールドを備える、請求項１０３に記載の方法。
【請求項１０５】
前記１つまたは複数のビットはまた、前記ＭＩＭＯ送信方式に使用されるストリームの数を示し、
前記方法は、前記示されたストリームの数に基づいて前記ビームフォーミングトレーニングを実行することをさらに備える、請求項１０３に記載の方法。
【請求項１０６】
前記フィールドは、前記ＭＩＭＯ送信方式が単一ユーザ（ＳＵ）かマルチユーザ（ＭＵ）かどうかのインジケーションを提供する１つまたは複数の他のビットを備え、
前記方法は、前記ＭＩＭＯ送信方式がＳＵかＭＵかどうかの前記インジケーションに基づいて前記ビームフォーミングトレーニングを実行することをさらに備える、請求項１０３に記載の方法。
【請求項１０７】
ワイヤレス通信のための方法であって、
ビームフォーミングトレーニングに関連付けられたフレームを取得することと、前記フレームは、少なくとも１つのセクタスイープ（ＳＳＷ）フィールドを備え、前記ＳＳＷフィールドは、前記ビームフォーミングトレーニング中に使用されるＭＩＭＯ送信方式に関連付けられたＲＦチェーンのインジケーションを備え、
前記ＭＩＭＯ送信方式に関連付けられた前記ＲＦチェーンの前記インジケーションに基づいて、前記ビームフォーミングトレーニングを実行することと、
を備える、方法。
【請求項１０８】
前記ビームフォーミングトレーニングに関連付けられた別のフレームを取得することと、前記別のフレームは多入力多出力（ＭＩＭＯ）送信方式を使用して前記ビームフォーミングトレーニングが実行されるべきかどうかのインジケーションを備え、
前記ＭＩＭＯ送信方式を使用して前記ビームフォーミングトレーニングが実行されるべきかどうかの前記インジケーションに基づいて前記ビームフォーミングトレーニングを実行することと、
請求項１０７に記載の方法。
【請求項１０９】
前記別のフレームは、１つまたは複数のビットを備えるフィールドを備え、前記１つまたは複数のビットは、前記ＭＩＭＯ送信方式を使用して前記ビームフォーミングトレーニングが実行されるべきかどうかの前記インジケーションを提供する、請求項１０８に記載の方法。
【請求項１１０】
前記フィールドは、ビーム微調整リクエストフィールドを備える、請求項１０９に記載の方法。
【請求項１１１】
前記１つまたは複数のビットはまた、前記ＭＩＭＯ送信方式に使用されるストリームの数を示し、
前記方法は、前記示されたストリームの数に基づいて前記ビームフォーミングトレーニングを実行することをさらに備える、請求項１０９に記載の方法。
【請求項１１２】
前記フィールドは、前記ＭＩＭＯ送信方式が単一ユーザ（ＳＵ）かマルチユーザ（ＭＵ）かどうかのインジケーションを提供する１つまたは複数の他のビットを備え、
前記方法は、前記ＭＩＭＯ送信方式がＳＵかＭＵかどうかの前記インジケーションに基づいて前記ビームフォーミングトレーニングを実行することをさらに備える、請求項１０９に記載の方法。
【請求項１１３】
無線通信のための装置であって、
ビームフォーミングトレーニングに関連付けられたフレームを生成するための手段と、前記フレームは多入力多出力（ＭＩＭＯ）送信方式を使用して前記ビームフォーミングトレーニングが実行されるべきかどうかのインジケーションを備え、
送信のために前記フレームを出力するための手段と、
を備える、装置。
【請求項１１４】
前記フレームは、１つまたは複数のビットを備えるフィールドを備え、前記１つまたは複数のビットは、前記ＭＩＭＯ送信方式を使用して前記ビームフォーミングトレーニングが実行されるべきどうかの前記インジケーションを提供する、請求項１１３に記載の装置。
【請求項１１５】
前記フィールドは、ビーム微調整リクエストフィールドを備える、請求項１１４に記載の装置。
【請求項１１６】
前記１つまたは複数のビットはまた、前記ＭＩＭＯ送信方式に使用されるストリームの数を示す、請求項１１４に記載の装置。
【請求項１１７】
前記フィールドは、前記ＭＩＭＯ送信方式が単一ユーザ（ＳＵ）かマルチユーザ（ＭＵ）かどうかのインジケーションを提供する１つまたは複数の他のビットを備える、請求項１１４に記載の装置。
【請求項１１８】
フィードバックリクエストを送信のために出力するための手段と、
前記１つまたは複数の他のビットが前記ＭＩＭＯ送信方式はＭＵであると示す場合、前記フィードバックリクエストに応答して前記フレームに関連付けられたフィードバックを取得するための手段と、
をさらに備える、請求項１１７に記載の装置。
【請求項１１９】
送信のために前記フィードバックリクエストを出力することは、前記ビームフォーミングトレーニングのマルチプルセクタＩＤ（ＭＩＤ）フェーズ中に実行される、請求項１１８に記載の装置。
【請求項１２０】
前記フレームは、前記ビームフォーミングトレーニングのための前記装置による使用のための残りのセクタの数を示すように構成されたカウンタを備える、請求項１１４に記載の装置。
【請求項１２１】
前記フレームは、前記フレームに応答して予期されるフィードバックのタイプを示すフィードバックタイプフィールドを備え、
前記カウンタは、前記フィードバックタイプフィールドに含まれる、請求項１２０に記載の装置。
【請求項１２２】
前記フレームは、前記ＭＩＭＯ送信方式に関連付けられた無線周波数（ＲＦ）チェーンのインジケーションをさらに備える、請求項１１４に記載の装置。
【請求項１２３】
前記フレームは、前記ＲＦチェーンの前記インジケーションを含むビーム微調整プロトコル（ＢＲＰ）フィールドを備える、請求項１２２に記載の装置。
【請求項１２４】
前記ビームフォーミングトレーニング中に、フレーム間のショートビームフォーミングインターフレームスペース（ＳＢＩＦＳ）にしたがって送信のために複数のフレームを生成することをさらに備える、請求項１１４に記載の装置。
【請求項１２５】
フレーム間の前記ＳＢＩＦＳは、前記ビームフォーミングトレーニングのマルチプルセクタＩＤ（ＭＩＤ）フェーズ中に使用される、請求項１２４に記載の装置。
【請求項１２６】
前記フレームは、ＭＩＤリクエストの受信から独立して生成されるマルチプルセクタＩＤ（ＭＩＤ）許可フィールドを備える、請求項１１４に記載の装置。
【請求項１２７】
前記ビームフォーミングトレーニングのＭＩＤフェーズ中に使用される少なくとも１つの第１のセクタのインジケーションを取得するための手段と、
少なくとも１つの第２のセクタを使用して、前記ビームフォーミングトレーニングの前記ＭＩＤフェーズを実行するための手段と、をさらに備え、
前記少なくとも１つの第１のセクタのうちのいくつかのセクタは、前記少なくとも１つの第２のセクタのうちのいくつかのセクタと異なる、または、
前記少なくとも１つの第２のセクタは、前記少なくとも１つの第１のセクタ内にない１つまたは複数のセクタを備える、請求項１１４に記載の装置。
【請求項１２８】
無線通信のための装置であって、
ビームフォーミングトレーニングのマルチプルセクタＩＤキャプチャ（ＭＩＤＣ）フェーズ、前記ビームフォーミングトレーニングのマルチプルセクタＩＤ（ＭＩＤ）フェーズ、前記ビームフォーミングトレーニングのＭＩＤおよびビーム結合（ＢＣ）フェーズ、または前記ビームフォーミングトレーニングのＢＣフェーズのうちの少なくとも１つの間に、送信のためにセクタスイープ（ＳＳＷ）フレームを生成するための手段と、
前記ＳＳＷフレームを送信のために出力するための手段と、
を備える、装置。
【請求項１２９】
前記ＳＳＷフレームは、少なくとも１つのトレーニング（ＴＲＮ）フィールドを備える、請求項１２８に記載の装置。
【請求項１３０】
前記ビームフォーミングトレーニングに関連付けられたフレームを生成するための手段と、前記フレームは多入力多出力（ＭＩＭＯ）送信方式を使用して前記ビームフォーミングトレーニングが実行されるべきかどうかのインジケーションを備え、
送信のために前記フレームを出力するための手段と、
をさらに備える、請求項１２８に記載の装置。
【請求項１３１】
前記フレームは、１つまたは複数のビットを備えるフィールドを備え、前記１つまたは複数のビットは、前記ＭＩＭＯ送信方式を使用して前記ビームフォーミングトレーニングが実行されるべきどうかの前記インジケーションを提供する、請求項１３０に記載の装置。
【請求項１３２】
前記フィールドは、ビーム微調整リクエストフィールドを備える、請求項１３１に記載の装置。
【請求項１３３】
前記１つまたは複数のビットはまた、前記ＭＩＭＯ送信方式に使用されるストリームの数を示す、請求項１３１に記載の装置。
【請求項１３４】
前記フィールドは、前記ＭＩＭＯ送信方式が単一ユーザ（ＳＵ）かマルチユーザ（ＭＵ）かどうかのインジケーションを提供する１つまたは複数の他のビットを備える、請求項１３１に記載の装置。
【請求項１３５】
無線通信のための装置であって、
ビームフォーミングトレーニングに関連付けられたフレームを生成するための手段と、前記フレームは、少なくとも１つのセクタスイープ（ＳＳＷ）フィールドを備え、前記ＳＳＷフィールドは、前記ビームフォーミングトレーニング中に使用されるＭＩＭＯ送信方式に関連付けられたＲＦチェーンのインジケーションを備える、
送信のために前記フレームを出力するための手段と、
を備える、装置。
【請求項１３６】
前記ビームフォーミングトレーニングに関連付けられた別のフレームを生成するための手段と、前記別のフレームは多入力多出力（ＭＩＭＯ）送信方式を使用して前記ビームフォーミングトレーニングが実行されるべきかどうかのインジケーションを備え、
送信のために前記別のフレームを出力するための手段と、請求項１３５に記載の装置。
【請求項１３７】
前記別のフレームは、１つまたは複数のビットを備えるフィールドを備え、前記１つまたは複数のビットは、前記ＭＩＭＯ送信方式を使用して前記ビームフォーミングトレーニングが実行されるべきかどうかの前記インジケーションを提供する、請求項１３６に記載の装置。
【請求項１３８】
前記フィールドは、ビーム微調整リクエストフィールドを備える、請求項１３７に記載の装置。
【請求項１３９】
前記１つまたは複数のビットはまた、前記ＭＩＭＯ送信方式に使用されるストリームの数を示す、請求項１３７に記載の装置。
【請求項１４０】
前記フィールドは、前記ＭＩＭＯ送信方式が単一ユーザ（ＳＵ）かマルチユーザ（ＭＵ）かどうかのインジケーションを提供する１つまたは複数の他のビットを備える、請求項１３７に記載の装置。
【請求項１４１】
無線通信のための装置であって、
ビームフォーミングトレーニングに関連付けられたフレームを取得するための手段と、前記フレームは多入力多出力（ＭＩＭＯ）送信方式を使用して前記ビームフォーミングトレーニングが実行されるべきかどうかのインジケーションを備え、
前記ＭＩＭＯ送信方式を使用して前記ビームフォーミングトレーニングが実行されるべきかどうかの前記インジケーションに基づいて、前記ビームフォーミングトレーニングを実行するための手段と、
を備える、装置。
【請求項１４２】
前記フレームは、１つまたは複数のビットを備えるフィールドを備え、前記１つまたは複数のビットは、前記ＭＩＭＯ送信方式を使用して前記ビームフォーミングトレーニングが実行されるべきどうかの前記インジケーションを提供する、請求項１４１に記載の装置。
【請求項１４３】
前記１つまたは複数のビットはまた、前記ＭＩＭＯ送信方式に使用されるいくつかのストリームを示し、前記装置は、前記示されたストリームの数に基づいて前記ビームフォーミングトレーニングを実行するための手段をさらに備える、請求項１４２に記載の装置。
【請求項１４４】
前記フィールドは、前記ＭＩＭＯ送信方式が単一ユーザ（ＳＵ）かマルチユーザ（ＭＵ）かどうかのインジケーションを提供する１つまたは複数の他のビットを備え、
前記装置は、前記ＭＩＭＯ送信方式がＳＵかＭＵかどうかの前記インジケーションに基づいて前記ビームフォーミングトレーニングを実行するための手段をさらに備える、請求項１４２に記載の装置。
【請求項１４５】
フィードバックリクエストを取得するための手段と、
前記１つまたは複数の他のビットが前記ＭＩＭＯ送信方式はＭＵであると示す場合、前記フィードバックリクエストに応答して前記フレームに関連付けられたフィードバックを出力するための手段と、
をさらに備える、請求項１４４に記載の装置。
【請求項１４６】
前記第１のインターフェースは、前記ビームフォーミングトレーニングのマルチプルセクタＩＤ（ＭＩＤ）フェーズ中に前記フィードバックリクエストを取得するように構成される、請求項１４５に記載の装置。
【請求項１４７】
前記１つまたは複数の他のビットが前記ＭＩＭＯ送信方式はＭＵであると示す場合、時間期間後に前記フレームに関連付けられたフィードバックを出力することをさらに備え、前記時間期間は、マルチユーザ送信シーケンスに基づいて決定される、請求項１４４に記載の装置。
【請求項１４８】
前記フレームは、前記ビームフォーミングトレーニングのための前記装置による使用のための残りのセクタの数を示すように構成されたカウンタを備える、請求項１４１に記載の装置。
【請求項１４９】
前記フレームは、前記フレームに応答して送られるフィードバックのタイプを示すフィードバックタイプフィールドを備え、
前記カウンタは、前記フィードバックタイプフィールドに含まれる、請求項１４８に記載の装置。
【請求項１５０】
前記フレームは、前記ＭＩＭＯ送信方式に関連付けられた無線周波数（ＲＦ）チェーンのインジケーションをさらに備え、
前記装置は、前記ＭＩＭＯ送信方式に関連付けられた前記ＲＦチェーンの前記インジケーションに基づいてビームフォーミングトレーニングを実行するための手段をさらに備える、請求項１４１に記載の装置。
【請求項１５１】
前記フレームは、前記ＲＦチェーンの前記インジケーションを含むビーム微調整プロトコル（ＢＲＰ）フィールドを備える、請求項１５０に記載の装置。
【請求項１５２】
前記ビームフォーミングトレーニング中に、フレーム間のショートビームフォーミングインターフレームスペース（ＳＢＩＦＳ）にしたがって複数のフレームを取得するための手段をさらに備える、請求項１５０に記載の装置。
【請求項１５３】
フレーム間の前記ＳＢＩＦＳは、前記ビームフォーミングトレーニングのマルチプルセクタＩＤ（ＭＩＤ）フェーズ中に使用される、請求項１５２に記載の装置。
【請求項１５４】
前記フレームは、ＭＩＤリクエストの受信から独立して生成されるマルチプルセクタＩＤ（ＭＩＤ）許可フィールドを備える、請求項１５０に記載の装置。
【請求項１５５】
前記ビームフォーミングトレーニングのＭＩＤフェーズ中に使用される少なくとも１つの第１のセクタのインジケーションを出力するための手段と、
少なくとも１つの第２のセクタを使用して前記ビームフォーミングトレーニングの前記ＭＩＤフェーズを実行するための手段と、をさらに備え、
前記少なくとも１つの第１のセクタのうちのいくつかのセクタは、前記少なくとも１つの第２のセクタのうちのいくつかのセクタと異なる、または、
前記少なくとも１つの第２のセクタは、前記少なくとも１つの第１のセクタ内にない１つまたは複数のセクタを備える、請求項１５０に記載の装置。
【請求項１５６】
無線通信のための装置であって、
ビームフォーミングトレーニングのマルチプルセクタＩＤキャプチャ（ＭＩＤＣ）フェーズ、前記ビームフォーミングトレーニングのマルチプルセクタＩＤ（ＭＩＤ）フェーズ、前記ビームフォーミングトレーニングのＭＩＤおよびビーム結合（ＢＣ）フェーズ、または前記ビームフォーミングトレーニングのＢＣフェーズのうちの少なくとも１つの間に、セクタスイープ（ＳＳＷ）フレームを取得するための手段と、
前記ＳＳＷフレームを使用して前記ビームフォーミングトレーニングを実行するための手段と、
を備える、装置。
【請求項１５７】
前記ＳＳＷフレームは、少なくとも１つのトレーニング（ＴＲＮ）フィールドを備える、請求項１５６に記載の装置。
【請求項１５８】
前記ビームフォーミングトレーニングに関連付けられたフレームを取得するための手段と、前記フレームは多入力多出力（ＭＩＭＯ）送信方式を使用して前記ビームフォーミングトレーニングが実行されるべきかどうかのインジケーションを備え、
前記ＭＩＭＯ送信方式を使用して前記ビームフォーミングトレーニングが実行されるべきかどうかの前記インジケーションに基づいて前記ビームフォーミングトレーニングを実行するための手段と、
をさらに備える、請求項１５６に記載の装置。
【請求項１５９】
前記フレームは、１つまたは複数のビットを備えるフィールドを備え、前記１つまたは複数のビットは、前記ＭＩＭＯ送信方式を使用して前記ビームフォーミングトレーニングが実行されるべきどうかの前記インジケーションを提供する、請求項１５８に記載の装置。
【請求項１６０】
前記フィールドは、ビーム微調整リクエストフィールドを備える、請求項１５９に記載の装置。
【請求項１６１】
前記１つまたは複数のビットはまた、前記ＭＩＭＯ送信方式に使用されるストリームの数を示し、
前記装置は、前記示されたストリームの数に基づいて前記ビームフォーミングトレーニングを実行するための手段をさらに備える、請求項１５９に記載の装置。
【請求項１６２】
前記フィールドは、前記ＭＩＭＯ送信方式が単一ユーザ（ＳＵ）かマルチユーザ（ＭＵ）かどうかのインジケーションを提供する１つまたは複数の他のビットを備え、
前記装置は、前記ＭＩＭＯ送信方式がＳＵかＭＵかどうかの前記インジケーションに基づいて前記ビームフォーミングトレーニングを実行するための手段をさらに備える、請求項１５９に記載の装置。
【請求項１６３】
無線通信のための装置であって、
ビームフォーミングトレーニングに関連付けられたフレームを取得するための手段と、前記フレームは、少なくとも１つのセクタスイープ（ＳＳＷ）フィールドを備え、前記ＳＳＷフィールドは、前記ビームフォーミングトレーニング中に使用されるＭＩＭＯ送信方式に関連付けられたＲＦチェーンのインジケーションを備え、
前記ＭＩＭＯ送信方式に関連付けられた前記ＲＦチェーンの前記インジケーションに基づいて前記ビームフォーミングトレーニングを実行するための手段と、
を備える、装置。
【請求項１６４】
前記ビームフォーミングトレーニングに関連付けられた別のフレームを取得するための手段と、前記別のフレームは多入力多出力（ＭＩＭＯ）送信方式を使用して前記ビームフォーミングトレーニングが実行されるべきかどうかのインジケーションを備え、
前記ＭＩＭＯ送信方式を使用して前記ビームフォーミングトレーニングが実行されるべきかどうかの前記インジケーションに基づいて前記ビームフォーミングトレーニングを実行するための手段と、
請求項１６３に記載の装置。
【請求項１６５】
前記別のフレームは、１つまたは複数のビットを備えるフィールドを備え、前記１つまたは複数のビットは、前記ＭＩＭＯ送信方式を使用して前記ビームフォーミングトレーニングが実行されるべきかどうかの前記インジケーションを提供する、請求項１６３に記載の装置。
【請求項１６６】
前記フィールドは、ビーム微調整リクエストフィールドを備える、請求項１６５に記載の装置。
【請求項１６７】
前記１つまたは複数のビットはまた、前記ＭＩＭＯ送信方式に使用されるストリームの数を示し、
前記装置は、前記示されたストリームの数に基づいて前記ビームフォーミングトレーニングを実行するための手段をさらに備える、請求項１６５に記載の装置。
【請求項１６８】
前記フィールドは、前記ＭＩＭＯ送信方式が単一ユーザ（ＳＵ）かマルチユーザ（ＭＵ）かどうかのインジケーションを提供する１つまたは複数の他のビットを備え、
前記装置は、前記ＭＩＭＯ送信方式がＳＵかＭＵかどうかの前記インジケーションに基づいて前記ビームフォーミングトレーニングを実行するための手段をさらに備える、請求項１６５に記載の装置。
【請求項１６９】
コンピュータ可読媒体であって、
ビームフォーミングトレーニングに関連付けられたフレームを生成することと、前記フレームは多入力多出力（ＭＩＭＯ）送信方式を使用して前記ビームフォーミングトレーニングが実行されるべきかどうかのインジケーションを備え、
前記フレームを送信のために出力することと、
を行うための命令を記憶したコンピュータ可読媒体。
【請求項１７０】
コンピュータ可読媒体であって、
ビームフォーミングトレーニングのマルチプルセクタＩＤキャプチャ（ＭＩＤＣ）フェーズ、前記ビームフォーミングトレーニングのマルチプルセクタＩＤ（ＭＩＤ）フェーズ、前記ビームフォーミングトレーニングのＭＩＤおよびビーム結合（ＢＣ）フェーズ、または前記ビームフォーミングトレーニングのＢＣフェーズのうちの少なくとも１つの間に、送信のためにセクタスイープ（ＳＳＷ）フレームを生成することと、
前記ＳＳＷフレームを送信のために出力することと、
を行うための命令を記憶したコンピュータ可読媒体。
【請求項１７１】
コンピュータ可読媒体であって、
ビームフォーミングトレーニングに関連付けられたフレームを生成することと、前記フレームは、少なくとも１つのセクタスイープ（ＳＳＷ）フィールドを備え、前記ＳＳＷフィールドは、前記ビームフォーミングトレーニング中に使用されるＭＩＭＯ送信方式に関連付けられたＲＦチェーンのインジケーションを備え、
送信のために前記フレームを出力することと、
を行うための命令を記憶したコンピュータ可読媒体。
【請求項１７２】
コンピュータ可読媒体であって、
ビームフォーミングトレーニングに関連付けられたフレームを取得することと、前記フレームは多入力多出力（ＭＩＭＯ）送信方式を使用して前記ビームフォーミングトレーニングが実行されるべきかどうかのインジケーションを備え、
前記ＭＩＭＯ送信方式を使用して前記ビームフォーミングトレーニングが実行されるべきかどうかの前記インジケーションに基づいて前記ビームフォーミングトレーニングを実行することと、
を行うための命令を記憶したコンピュータ可読媒体。
【請求項１７３】
コンピュータ可読媒体であって、
ビームフォーミングトレーニングのマルチプルセクタＩＤキャプチャ（ＭＩＤＣ）フェーズ、前記ビームフォーミングトレーニングのマルチプルセクタＩＤ（ＭＩＤ）フェーズ、前記ビームフォーミングトレーニングのＭＩＤおよびビーム結合（ＢＣ）フェーズ、または前記ビームフォーミングトレーニングのＢＣフェーズのうちの少なくとも１つの間にセクタスイープ（ＳＳＷ）フレームを取得することと、
前記ＳＳＷフレームを使用して前記ビームフォーミングトレーニングを実行することと、
を行うための命令を記憶したコンピュータ可読媒体。
【請求項１７４】
コンピュータ可読媒体であって、
ビームフォーミングトレーニングに関連付けられたフレームを取得することと、前記フレームは、少なくとも１つのセクタスイープ（ＳＳＷ）フィールドを備え、前記ＳＳＷフィールドは、前記ビームフォーミングトレーニング中に使用されるＭＩＭＯ送信方式に関連付けられたＲＦチェーンのインジケーションを備え、
前記ＭＩＭＯ送信方式に関連付けられた前記ＲＦチェーンの前記インジケーションに基づいて前記ビームフォーミングトレーニングを実行することと、
を行うための命令を記憶したコンピュータ可読媒体。
【請求項１７５】
ワイヤレスノードであって、
少なくとも１つのアンテナと、
処理システムと、を備え、前記処理システムは、
ビームフォーミングトレーニングに関連付けられたフレームを生成することと、前記フレームは多入力多出力（ＭＩＭＯ）送信方式を使用して前記ビームフォーミングトレーニングが実行されるべきかどうかのインジケーションを備え、
前記少なくとも１つのアンテナを介した送信のために前記フレームを出力することと、を行うように構成された、
ワイヤレスノード。
【請求項１７６】
ワイヤレスノードであって、
少なくとも１つのアンテナと、
処理システムと、を備え、前記処理システムは、
ビームフォーミングトレーニングのマルチプルセクタＩＤキャプチャ（ＭＩＤＣ）フェーズ、前記ビームフォーミングトレーニングのマルチプルセクタＩＤ（ＭＩＤ）フェーズ、前記ビームフォーミングトレーニングのＭＩＤおよびビーム結合（ＢＣ）フェーズ、または前記ビームフォーミングトレーニングのＢＣフェーズのうちの少なくとも１つの間に、送信のためにセクタスイープ（ＳＳＷ）フレームを生成することと、
前記少なくとも１つのアンテナを介した送信のために前記ＳＳＷフレームを出力することと、
を行うように構成された、
ワイヤレスノード。
【請求項１７７】
ワイヤレスノードであって、
少なくとも１つのアンテナと、
処理システムと、を備え、前記処理システムは、
ビームフォーミングトレーニングに関連付けられたフレームを生成することと、前記フレームは、少なくとも１つのセクタスイープ（ＳＳＷ）フィールドを備え、前記ＳＳＷフィールドは、前記ビームフォーミングトレーニング中に使用されるＭＩＭＯ送信方式に関連付けられたＲＦチェーンのインジケーションを備え、
前記少なくとも１つのアンテナを介した送信のために前記フレームを出力することと、
を行うように構成された、
ワイヤレスノード。
【請求項１７８】
ワイヤレスノードであって、
少なくとも１つのアンテナと、
処理システムと、を備え、前記処理システムは、
前記少なくとも１つのアンテナを介して、ビームフォーミングトレーニングに関連付けられたフレームを取得することと、前記フレームは多入力多出力（ＭＩＭＯ）送信方式を使用して前記ビームフォーミングトレーニングが実行されるべきかどうかのインジケーションを備え、
前記ＭＩＭＯ送信方式を使用して前記ビームフォーミングトレーニングが実行されるかどうかの前記インジケーションに基づいて前記ビームフォーミングトレーニングを実行することと、
を行うように構成された、
ワイヤレスノード。
【請求項１７９】
ワイヤレスノードであって、
少なくとも１つのアンテナと、
処理システムと、を備え、前記処理システムは、
前記少なくとも１つのアンテナを介して、ビームフォーミングトレーニングのマルチプルセクタＩＤキャプチャ（ＭＩＤＣ）フェーズ、前記ビームフォーミングトレーニングのマルチプルセクタＩＤ（ＭＩＤ）フェーズ、前記ビームフォーミングトレーニングのＭＩＤおよびビーム結合（ＢＣ）フェーズ、または前記ビームフォーミングトレーニングのＢＣフェーズのうちの少なくとも１つの間に、セクタスイープ（ＳＳＷ）フレームを取得することと、
前記ＳＳＷフレームを使用して前記ビームフォーミングトレーニングを実行することと、
を行うように構成された、
ワイヤレスノード。
【請求項１８０】
ワイヤレスノードであって、
少なくとも１つのアンテナと、
処理システムと、を備え、前記処理システムは、
前記少なくとも１つのアンテナを介して、ビームフォーミングトレーニングに関連付けられたフレームを取得することと、前記フレームは、少なくとも１つのセクタスイープ（ＳＳＷ）フィールドを備え、前記ＳＳＷフィールドは、前記ビームフォーミングトレーニング中に使用されるＭＩＭＯ送信方式に関連付けられたＲＦチェーンのインジケーションを備え、
前記ＭＩＭＯ送信方式に関連付けられた前記ＲＦチェーンの前記インジケーションに基づいて前記ビームフォーミングトレーニングを実行することと、
を行うように構成された、
ワイヤレスノード。
【発明の詳細な説明】
【関連出願の相互参照】
【０００１】
本願は、２０１６年１２月１４日に出願された仮特許出願第６２/２７８，６５３号の優先権の利益を主張する、２０１６年１２月１４日に出願された米国特許出願第１５／３７９，１８４号の優先権を主張し、これらは、それらの全体がここでの参照により本明細書に明確に組み込まれている。
【技術分野】
【０００２】
本開示のある特定の態様は、一般に、ワイヤレス通信に関し、より具体的には、多入力多出力（ＭＩＭＯ）送信方式を使用するビームフォーミングトレーニングに関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって、複数のユーザをサポートすることが可能な多元接続ネットワークであり得る。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一キャリアＦＤＭＡ（ＳＣ−ＦＤＭＡ）ネットワークを含む。
【０００４】
[0004]ワイヤレス通信システムのために求められる、増加する帯域幅要件の問題に対処するために、複数のＳＴＡが、高いデータスループットを達成しながらチャネルリソースを共有することによって単一のアクセスポイントと通信することを可能にするために、異なる方式が開発されている。多入力多出力（ＭＩＭＯ）技術は、通信システムのための一般的な技法として出現してきた、１つのこのようなアプローチを表す。ＭＩＭＯ技術は、米国電子電気学会（ＩＥＥＥ）８０２．１１規格のようないくつかのワイヤレス通信規格で採用されてきた。ＩＥＥＥ８０２．１１は、短距離通信（例えば、数十メートルから数百メートルまで）用にＩＥＥＥ８０２．１１委員会によって開発されたワイヤレスローカルエリアネットワーク（ＷＬＡＮ）のエアインタフェース規格のセットを指す。
【０００５】
[0005]６０ＧＨｚ帯域は、大量の帯域幅および広範な世界規模のオーバーラップを特徴とする無認可帯域（unlicensed band）である。広範な帯域幅は、非常に大量の情報がワイヤレスに送信され得ることを意味する。結果として、各々が大量のデータの送信を必要とする複数のアプリケーションが、６０ＧＨｚ帯域周辺のワイヤレス通信を可能にするために開発され得る。このようなアプリケーションについての例は、ゲームコントローラ、モバイル対話型デバイス、ワイヤレス高精細度ＴＶ（ＨＤＴＶ）、ワイヤレスドッキングステーション、ワイヤレスギガビットイーサネット（登録商標）、およびその他多くを含むが、それらに限定されるものではない。
【０００６】
[0006]６０ＧＨｚ帯域における動作は、より低い周波数と比較して、より小さいアンテナの使用を可能にする。しかしながら、より低い周波数において動作することと比較して、６０ＧＨｚ帯域周辺の電波は、高い大気減衰を有し、大気中のガス、雨、物体（objects）、および同様のものによるより高いレベルの吸収を受け、より高い自由空間損失をもたらす。より高い自由空間損失は、例えば、フェーズドアレイに配列された、多数の小さいアンテナを使用することによって補償され得る。
【０００７】
[0007]複数のアンテナは、所望の方向に進行する（traveling）コヒーレントビームを形成するように調整され得る。電界が、この方向を変更するために回転され得る。結果として生じる送信は、電界に基づいて偏波（偏極）される（polarized）。受信機がまた、変化する送信極性（transmission polarity)に適合するまたはマッチするように適合し得るアンテナを含み得る。
【発明の概要】
【０００８】
[0008]本開示のシステム、方法、およびデバイスは各々、いくつかの態様を有し、これらのうちのいずれも、その望ましい属性を単独で担うものではない。後続する特許請求の範囲によって表される本開示の範囲を限定することなく、ここでいくつかの特徴が簡潔に説明される。この考察を考慮した後に、および特に「詳細な説明」と題されたセクションを読んだ後に、当業者であれば、どのように本開示の特徴がワイヤレスネットワークにおける向上した通信を含む利点を提供するのかを理解するだろう。
【０００９】
[0009]本開示の態様は、一般に、多入力多出力（ＭＩＭＯ）送信方式を使用するビームフォーミングトレーニングに関する。
【００１０】
[0010]本開示のある特定の態様は、ワイヤレス通信のための装置を提供する。装置は、一般に、ビームフォーミングトレーニングに関連付けられたフレームを生成するように構成された処理システム、フレームは多入力多出力（ＭＩＭＯ）送信方式を使用してビームフォーミングトレーニングが実行されるべきかどうかのインジケーションを備える、と、送信のためにフレームを出力するように構成された第１のインターフェースと、を含む。
【００１１】
[0011]本開示のある特定の態様は、ワイヤレス通信のための装置を提供する。装置は、一般に、ビームフォーミングトレーニングのマルチプルセクタＩＤキャプチャ（ＭＩＤＣ）フェーズ、ビームフォーミングトレーニングのマルチプルセクタＩＤ（ＭＩＤ）フェーズ、ビームフォーミングトレーニングのマルチプルセクタＩＤおよびビーム結合（ＢＣ:beam combining）フェーズ、またはビームフォーミングトレーニングのＢＣフェーズのうちの少なくとも１つの間に送信のためにセクタスイープ（ＳＳＷ）フレームを生成するように構成された処理システムと、送信のためにＳＳＷフレームを出力するように構成されたインターフェースと、を含む。
【００１２】
[0012]本開示のある特定の態様は、ワイヤレス通信のための装置を提供する。装置は、一般に、ビームフォーミングトレーニングに関連付けられたフレームを生成するように構成された処理システム、フレームは少なくとも１つのセクタスイープ（ＳＳＷ）フィールドを備え、ここにおいて、ＳＳＷフィールドはビームフォーミングトレーニングの間に使用されるＭＩＭＯ送信方式に関連付けられたＲＦチェーンのインジケーションを備える、と、送信のためにフレームを出力するように構成されたインターフェースとを含む。
【００１３】
[0013]本開示のある特定の態様は、ワイヤレス通信のための装置を提供する。装置は、一般に、ビームフォーミングトレーニングに関連付けられたフレームを取得するように構成された第１のインターフェースと、フレームは多入力多出力（ＭＩＭＯ）送信方式を使用してビームフォーミングトレーニングが実行されるべきかどうかのインジケーションを備える、ＭＩＭＯ送信方式を使用してビームフォーミングトレーニングが実行されるべきかどうかのインジケーションに基づいてビームフォーミングトレーニングを実行するように構成された処理システムとを含む。
【００１４】
[0014]本開示のある特定の態様は、ワイヤレス通信のための装置を提供する。装置は、一般に、ビームフォーミングトレーニングのマルチプルセクタＩＤキャプチャ（ＭＩＤＣ）フェーズ、ビームフォーミングトレーニングのマルチプルセクタＩＤ（ＭＩＤ）フェーズ、ビームフォーミングトレーニングのマルチプルセクタＩＤおよびビーム結合（ＢＣ）フェーズ、またはビームフォーミングトレーニングのＢＣフェーズのうちの少なくとも１つの間にセクタスイープ（ＳＳＷ）フレームを取得するように構成されたインターフェースと、ＳＳＷフレームを使用してビームフォーミングトレーニングを実行するように構成された処理システムと、を含む。
【００１５】
[0015]本開示のある特定の態様は、ワイヤレス通信のための装置を提供する。装置は、一般に、ビームフォーミングトレーニングに関連付けられたフレームを取得するように構成されたインターフェースと、フレームは少なくとも１つのセクタスイープ（ＳＳＷ）フィールドを備え、ここにおいて、ＳＳＷフィールドは、ビームフォーミングトレーニングの間に使用されるＭＩＭＯ送信方式に関連付けられたＲＦチェーンのインジケーションを備え、ＭＩＭＯ送信方式に関連付けられたＲＦチェーンのインジケーションに基づいてビームフォーミングトレーニングを実行するように構成された処理システムとを含む。
【００１６】
[0016]本開示のある特定の態様は、ワイヤレス通信のための方法を提供する。方法は、一般に、ビームフォーミングトレーニングに関連付けられたフレームを生成すること、フレームは多入力多出力（ＭＩＭＯ）送信方式を使用してビームフォーミングトレーニングが実行されるべきかどうかのインジケーションを備える、と、送信のためにフレームを出力することとを含む。
【００１７】
[0017]本開示のある特定の態様は、ワイヤレス通信のための方法を提供する。方法は、一般に、ビームフォーミングトレーニングのマルチプルセクタＩＤキャプチャ（ＭＩＤＣ）フェーズ、ビームフォーミングトレーニングのマルチプルセクタＩＤ（ＭＩＤ）フェーズ、ビームフォーミングトレーニングのマルチプルセクタＩＤおよびビーム結合（ＢＣ）フェーズ、またはビームフォーミングトレーニングのＢＣフェーズのうちの少なくとも１つの間に送信のためにセクタスイープ（ＳＳＷ）フレームを生成することと、送信のためにＳＳＷフレームを出力することとを含む。
【００１８】
[0018]本開示のある特定の態様は、ワイヤレス通信のための方法を提供する。方法は、一般に、ビームフォーミングトレーニングに関連付けられたフレームを生成すること、フレームは少なくとも１つのセクタスイープ（ＳＳＷ）フィールドを備え、ここにおいて、ＳＳＷフィールドはビームフォーミングトレーニングの間に使用されるＭＩＭＯ送信方式に関連付けられたＲＦチェーンのインジケーションを備える、と、送信のためにフレームを出力することとを含む。
【００１９】
[0019]本開示のある特定の態様は、ワイヤレス通信のための方法を提供する。方法は、一般に、ビームフォーミングトレーニングに関連付けられたフレームを取得することと、フレームは多入力多出力（ＭＩＭＯ）送信方式を使用してビームフォーミングトレーニングが実行されるべきかどうかのインジケーションを備える、ＭＩＭＯ送信方式を使用してビームフォーミングトレーニングが実行されるべきかどうかのインジケーションに基づいてビームフォーミングトレーニングを実行することとを含む。
【００２０】
[0020]本開示のある特定の態様は、ワイヤレス通信のための方法を提供する。方法は、一般に、ビームフォーミングトレーニングのマルチプルセクタＩＤキャプチャ（ＭＩＤＣ）フェーズ、ビームフォーミングトレーニングのマルチプルセクタＩＤ（ＭＩＤ）フェーズ、ビームフォーミングトレーニングのマルチプルセクタＩＤおよびビーム結合（ＢＣ）フェーズ、またはビームフォーミングトレーニングのＢＣフェーズのうちの少なくとも１つの間にセクタスイープ（ＳＳＷ）フレームを取得することと、ＳＳＷフレームを使用してビームフォーミングトレーニングを実行することとを含む。
【００２１】
[0021]本開示のある特定の態様は、ワイヤレス通信のための方法を提供する。方法は、一般に、ビームフォーミングトレーニングに関連付けられたフレームを取得すること、フレームは少なくとも１つのセクタスイープ（ＳＳＷ）フィールドを備え、ここにおいて、ＳＳＷフィールドはビームフォーミングトレーニングの間に使用されるＭＩＭＯ送信方式に関連付けられたＲＦチェーンのインジケーションを備える、と、ＭＩＭＯ送信方式に関連付けられたＲＦチェーンのインジケーションに基づいてビームフォーミングトレーニングを実行することとを含む。
【００２２】
[0022]本開示のある特定の態様は、ワイヤレス通信のための装置を提供する。装置は、一般に、ビームフォーミングトレーニングに関連付けられたフレームを生成するための手段と、フレームは多入力多出力（ＭＩＭＯ）送信方式を使用してビームフォーミングトレーニングが実行されるべきかどうかのインジケーションを備える、送信のためにフレームを出力するための手段とを含む。
【００２３】
[0023]本開示のある特定の態様は、ワイヤレス通信のための装置を提供する。装置は、一般に、ビームフォーミングトレーニングのマルチプルセクタＩＤキャプチャ（ＭＩＤＣ）フェーズ、ビームフォーミングトレーニングのマルチプルセクタＩＤ（ＭＩＤ）フェーズ、ビームフォーミングトレーニングのマルチプルセクタＩＤおよびビーム結合（ＢＣ）フェーズ、またはビームフォーミングトレーニングのＢＣフェーズのうちの少なくとも１つの間に送信のためにセクタスイープ（ＳＳＷ）フレームを生成することと、送信のためにＳＳＷフレームを出力するための手段とを含む。
【００２４】
[0024]本開示のある特定の態様は、ワイヤレス通信のための装置を提供する。装置は、一般に、ビームフォーミングトレーニングに関連付けられたフレームを生成するための手段、フレームは少なくとも１つのセクタスイープ（ＳＳＷ）フィールドを備え、ここにおいて、ＳＳＷフィールドはビームフォーミングトレーニングの間に使用されるＭＩＭＯ送信方式に関連付けられたＲＦチェーンのインジケーションを備える、と、送信のためにフレームを出力するための手段とを含む。
【００２５】
[0025]本開示のある特定の態様は、ワイヤレス通信のための装置を提供する。装置は、一般に、ビームフォーミングトレーニングに関連付けられたフレームを取得するための手段、フレームは多入力多出力（ＭＩＭＯ）送信方式を使用してビームフォーミングトレーニングが実行されるべきどうかのインジケーションを備える、と、ＭＩＭＯ送信方式を使用してビームフォーミングトレーニングが実行されるべきかどうかのインジケーションに基づいてビームフォーミングトレーニングを実行するための手段とを含む。
【００２６】
[0026]本開示のある特定の態様は、ワイヤレス通信のための装置を提供する。装置は、一般に、ビームフォーミングトレーニングのマルチプルセクタＩＤキャプチャ（ＭＩＤＣ）フェーズ、ビームフォーミングトレーニングのマルチプルセクタＩＤ（ＭＩＤ）フェーズ、ビームフォーミングトレーニングのマルチプルセクタＩＤおよびビーム結合（ＢＣ）フェーズ、またはビームフォーミングトレーニングのＢＣフェーズのうちの少なくとも１つの間にセクタスイープ（ＳＳＷ）フレームを取得するための手段と、ＳＳＷフレームを使用してビームフォーミングトレーニングを実行するための手段とを含む。
【００２７】
[0027]本開示のある特定の態様は、ワイヤレス通信のための装置を提供する。装置は、一般に、ビームフォーミングトレーニングに関連付けられたフレームを取得するための手段、フレームは少なくとも１つのセクタスイープ（ＳＳＷ）フィールドを備え、ここにおいて、ＳＳＷフィールドはビームフォーミングトレーニングの間に使用されるＭＩＭＯ送信方式に関連付けられたＲＦチェーンのインジケーションを備える、と、ＭＩＭＯ送信方式に関連付けられたＲＦチェーンのインジケーションに基づいてビームフォーミングトレーニングを実行するための手段とを含む。
【００２８】
[0028]本開示のある特定の態様は、ビームフォーミングトレーニングに関連付けられたフレームを生成すること、フレームは多入力多出力（ＭＩＭＯ）送信方式を使用してビームフォーミングトレーニングが実行されるべきかどうかのインジケーションを備える、と、送信のためにフレームを出力することとを行うためのコンピュータ実行可能コードを記憶するコンピュータ可読媒体を提供する。
【００２９】
[0029]本開示のある特定の態様は、ビームフォーミングトレーニングのマルチプルセクタＩＤキャプチャ（ＭＩＤＣ）フェーズ、ビームフォーミングトレーニングのマルチプルセクタＩＤ（ＭＩＤ）フェーズ、ビームフォーミングトレーニングのマルチプルセクタＩＤおよびビーム結合（ＢＣ）フェーズ、またはビームフォーミングトレーニングのＢＣフェーズのうちの少なくとも１つの間に送信のためにセクタスイープ（ＳＳＷ）フレームを生成することと、送信のためにＳＳＷフレームを出力することと、を行うためのコンピュータ実行可能コードを記憶するコンピュータ可読媒体を提供する。
【００３０】
[0030]本開示のある特定の態様は、ビームフォーミングトレーニングに関連付けられたフレームを生成すること、フレームは少なくとも１つのセクタスイープ（ＳＳＷ）フィールドを備え、ここにおいて、ＳＳＷフィールドはビームフォーミングトレーニングの間に使用されるＭＩＭＯ送信方式に関連付けられたＲＦチェーンのインジケーションを備える、と、送信のためにフレームを出力することとを行うためのコンピュータ実行可能コードを記憶するコンピュータ可読媒体を提供する。
【００３１】
[0031]本開示のある特定の態様は、ビームフォーミングトレーニングに関連付けられたフレームを取得すること、フレームは多入力多出力（ＭＩＭＯ）送信方式を使用してビームフォーミングトレーニングが実行されるべきかどうかのインジケーションを備える、と、ＭＩＭＯ送信方式を使用してビームフォーミングトレーニングが実行されるべきかどうかのインジケーションに基づいてビームフォーミングトレーニングを実行することとを行うためのコンピュータ実行可能コードを記憶するコンピュータ可読媒体を提供する。
【００３２】
[0032]本開示のある特定の態様は、ビームフォーミングトレーニングのマルチプルセクタＩＤキャプチャ（ＭＩＤＣ）フェーズ、ビームフォーミングトレーニングのマルチプルセクタＩＤ（ＭＩＤ）フェーズ、ビームフォーミングトレーニングのマルチプルセクタＩＤおよびビーム結合（ＢＣ）フェーズ、またはビームフォーミングトレーニングのＢＣフェーズのうちの少なくとも１つの間にセクタスイープ（ＳＳＷ）フレームを取得することと、ＳＳＷフレームを使用してビームフォーミングトレーニングを実行することと、を行うためのコンピュータ実行可能コードを記憶するコンピュータ可読媒体を提供する。
【００３３】
[0033]本開示のある特定の態様は、ビームフォーミングトレーニングに関連付けられたフレームを取得すること、フレームは少なくとも１つのセクタスイープ（ＳＳＷ）フィールドを備え、ここにおいて、ＳＳＷフィールドはビームフォーミングトレーニングの間に使用されるＭＩＭＯ送信方式に関連付けられたＲＦチェーンのインジケーションを備える、と、ＭＩＭＯ送信方式に関連付けられたＲＦチェーンのインジケーションに基づいてビームフォーミングトレーニングを実行することと、を行うためのコンピュータ実行可能コードを記憶するコンピュータ可読媒体を提供する。
【００３４】
[0034]本開示のある特定の態様は、ワイヤレスノードを提供する。ワイヤレスノードは、一般に、少なくとも１つのアンテナと、ビームフォーミングトレーニングに関連付けられたフレームを生成すること、フレームは多入力多出力（ＭＩＭＯ）送信方式を使用してビームフォーミングトレーニングが実行されるべきかどうかのインジケーションを備える、と、少なくとも１つのアンテナを介して送信のためにフレームを出力することと、を行うように構成された処理システムとを含む。
【００３５】
[0035]本開示のある特定の態様は、ワイヤレスノードを提供する。ワイヤレスノードは、一般に、少なくとも１つのアンテナと、ビームフォーミングトレーニングのマルチプルセクタＩＤキャプチャ（ＭＩＤＣ）フェーズ、ビームフォーミングトレーニングのマルチプルセクタＩＤ（ＭＩＤ）フェーズ、ビームフォーミングトレーニングのマルチプルセクタＩＤおよびビーム結合（ＢＣ）フェーズ、またはビームフォーミングトレーニングのＢＣフェーズのうちの少なくとも１つの間に送信のためにセクタスイープ（ＳＳＷ）フレームを生成することと、少なくとも１つのアンテナを介してＳＳＷフレームを送信するために出力することと、を行うように構成された処理システムとを含む。
【００３６】
[0036]本開示のある特定の態様は、ワイヤレスノードを提供する。ワイヤレスノードは、一般に、少なくとも１つのアンテナと、ビームフォーミングトレーニングに関連付けられたフレームを生成すること、フレームは少なくとも１つのセクタスイープ（ＳＳＷ）フィールドを備え、ここにおいて、ＳＳＷフィールドはビームフォーミングトレーニングの間に使用されるＭＩＭＯ送信方式に関連付けられたＲＦチェーンのインジケーションを備える、と、少なくとも１つのアンテナを介して送信のためにフレームを出力することと、を行うように構成された処理システムとを含む。
【００３７】
[0037]本開示のある特定の態様は、ワイヤレスノードを提供する。ワイヤレスノードは、一般に、少なくとも１つのアンテナと、少なくとも１つのアンテナを介して、ビームフォーミングトレーニングに関連付けられたフレームを取得すること、フレームは多入力多出力（ＭＩＭＯ）送信方式を使用してビームフォーミングトレーニングが実行されるべきかどうかのインジケーションを備える、と、ＭＩＭＯ送信方式を使用してビームフォーミングトレーニングが実行されるべきかどうかのインジケーションに基づいてビームフォーミングトレーニングを実行することと、を行うように構成された処理システムとを含む。
【００３８】
[0038]本開示のある特定の態様は、ワイヤレスノードを提供する。ワイヤレスノードは、一般に、少なくとも１つのアンテナと、少なくとも１つのアンテナを介して、ビームフォーミングトレーニングのマルチプルセクタＩＤキャプチャ（ＭＩＤＣ）フェーズ、ビームフォーミングトレーニングのマルチプルセクタＩＤ（ＭＩＤ）フェーズ、ビームフォーミングトレーニングのマルチプルセクタＩＤおよびビーム結合（ＢＣ）フェーズ、またはビームフォーミングトレーニングのＢＣフェーズのうちの少なくとも１つの間にセクタスイープ（ＳＳＷ）フレームを取得することと、ＳＳＷフレームを使用してビームフォーミングトレーニングを実行することと、を行うように構成された処理システムとを含む。
【００３９】
[0039]本開示のある特定の態様は、ワイヤレスノードを提供する。ワイヤレスノードは、一般に、少なくとも１つのアンテナと、少なくとも１つのアンテナを介して、ビームフォーミングトレーニングに関連付けられたフレームを取得すること、フレームは少なくとも１つのセクタスイープ（ＳＳＷ）フィールドを備え、ここにおいて、ＳＳＷフィールドはビームフォーミングトレーニングの間に使用されるＭＩＭＯ送信方式に関連付けられたＲＦチェーンのインジケーションを備える、と、ＭＩＭＯ送信方式に関連付けられたＲＦチェーンのインジケーションに基づいてビームフォーミングトレーニングを実行することと、を行うように構成された処理システムと、を含む。
【００４０】
[0040]前述した目的および関連する目的を達成するために、１つまたは複数の態様は、以下に十分に説明され、特許請求の範囲において具体的に示される特徴を備える。以下の説明および添付図面は、１つまたは複数の態様のある特定の例示的な特徴を詳細に記載する。しかしながら、これらの特徴は、様々な態様の原理が用いられ得る様々な方法のうちの極一部を示しているに過ぎず、本説明は、すべてのそのような態様およびそれらの同等物を含むように意図される。
【図面の簡単な説明】
【００４１】
【図１】図１は、本開示のある特定の態様にしたがった、実例的なワイヤレス通信ネットワークを例示する。
【図２】図２は、本開示のある特定の態様にしたがった、実例的なアクセスポイント（ＡＰ）およびＳＴＡのブロック図である。
【図３】図３は、本開示のある特定の態様にしたがった、実例的なワイヤレスデバイスのブロック図である。
【図４】図４は、本開示のある特定の態様にしたがった、ビームトレーニングフェーズを例示する実例的な呼フローである。
【図５】図５は、本開示のある特定の態様にしたがった、実例的なデュアル偏波パッチ素子（dual polarized patch element）を例示する。
【図６】図６は、本開示のある特定の態様にしたがった、フェーズドアレイアンテナの実装における信号伝搬を例示する。
【図７】図７は、本開示のある特定の態様にしたがった、多入力多出力（ＭＩＭＯ）送信方式を使用してビームフォーミングトレーニングを実行するためのインジケーションを提供するための実例的な動作のフロー図である。
【図７Ａ】図７Ａは、図７に示した動作を実行することができる実例的な手段を例示する。
【図８】図８は、本開示のある特定の態様にしたがった、ＭＩＭＯ送信方式を使用してビームフォーミングトレーニングを実行するためのインジケーションを受信するための実例的な動作のフロー図である。
【図８Ａ】図８Ａは、図８に示した動作を実行することができる実例的な手段を例示する。
【図９Ａ】図９Ａは、本開示のある特定の態様にしたがった、実例的なビーム微調整プロトコル（ＢＲＰ：beam refinement protocol）リクエストフィールドフォーマットを例示する。
【図９Ｂ】図９Ｂは、本開示のある特定の態様にしたがった、ＭＩＭＯ送信方式がビームフォーミングトレーニングに使用されるかどうかのインジケーションおよび対応する数のストリームを例示する。
【図１０】図１０は、本開示のある特定の態様にしたがった、送信のためにセクタスイープ（ＳＳＷ）フレームを出力するための実例的な動作のフロー図である。
【図１０Ａ】図１０Ａは、図１０に示した動作を実行することができる実例的な手段を例示する。
【図１１】図１１は、本開示のある特定の態様にしたがった、ＳＳＷフレームを取得するための実例的な動作のフロー図である。
【図１１Ａ】図１１Ａは、図１１に示した動作を実行することができる実例的な手段を例示する。
【図１２】図１２は、本開示のある特定の態様にしたがった、ＲＦチェーンのインジケーションを提供するための実例的な動作のフロー図である。
【図１２Ａ】図１２Ａは、図１２に示した動作を実行することができる実例的な手段を例示する。
【図１３】図１３は、本開示のある特定の態様にしたがった、ＲＦチェーンのインジケーションを取得するための実例的な動作のフロー図である。
【図１３Ａ】図１３Ａは、図１３に示した動作を実行することができる実例的な手段を例示する。
【詳細な説明】
【００４２】
[0061]理解を容易にするために、同一の参照番号が、可能な場合、図面に共通である同一の要素を指定するために使用されている。一実施形態において開示される要素が、具体的な記載なしに他の実施形態に有益に利用され得ることは企図される。
【００４３】
[0062]本開示のさまざまな態様は、添付の図面を参照して以下により十分に説明される。しかしながら、本開示は、多くの異なる形態で具現化され得、本開示の全体にわたって提示される任意の特定の構造または機能に限定されるものとして解釈されるべきではない。むしろ、これらの態様は、本開示が十分かつ完全であり、当業者に本開示の範囲を十分に伝えるように提供される。本明細書における教示に基づき、当業者は、本開示の範囲が、本開示の任意の他の態様と独立して実現されようと、組み合わされて実現されようと、本明細書に開示される開示の任意の態様をカバーするように意図されていることを理解すべきである。例えば、本明細書で説明される任意の数の態様を使用して、装置が実現され得る、または方法が実施され得る。加えて、本開示の範囲は、本明細書で説明される本開示の様々な態様に加えて、またはそれ以外の、他の構造、機能、または構造および機能を使用して実施されるそのような装置または方法をカバーするように意図される。本明細書で開示される本開示の任意の態様が、請求項の１つまたは複数の要素によって具現化され得ることが理解されるべきである。
【００４４】
[0063]本開示の態様は、一般に、多入力多出力（ＭＩＭＯ）送信方式を使用するビームフォーミングトレーニングに関する。例えば、ＩＥＥＥ８０２．１１ａｄにしたがったフレームの既存のフォーマットは、ＭＩＭＯ送信方式を使用するビームフォーミングを容易にするように適合され得る。
【００４５】
[0064]「例示的（exemplary）」という用語は、本明細書では、例、事例、または例示を提供する」という意味で使用される。「例示的」なものとして本明細書に説明される任意の態様は、必ずしも、他の態様よりも好ましい、または利点を有するものと解釈されるべきではない。
【００４６】
[0065]特定の態様が本明細書で説明されるが、これらの態様の多くの変形および置換が、本開示の範囲内に含まれる。好ましい態様のいくつかの利益および利点が述べられるが、本開示の範囲は、特定の利益、使用、または目的に限定されるように意図されたものではない。むしろ、本開示の態様は、異なるワイヤレス技術、システム構成、ネットワーク、および送信プロトコルに広く適用可能であるように意図されており、そのうちのいくつかは、図面および好ましい態様の以下の説明において例として例示される。詳細な説明および図面は、限定ではなく、本開示の単なる例示であり、本開示の範囲は、添付の特許請求の範囲およびそれらの同等物によって定義されている。
【００４７】
[0066]本明細書で説明される技法は、直交多重化スキームに基づく通信システムを含む、様々なブロードバンドワイヤレス通信システムのために使用され得る。そのような通信システムの例は、空間分割多元接続（ＳＤＭＡ）システム、時分割多元接続（ＴＤＭＡ）システム、直交周波数分割多元接続（ＯＦＤＭＡ）システム、およびシングルキャリア周波数分割多元接続（ＳＣ−ＦＤＭＡ）システムを含む。ＳＤＭＡシステムは、複数の局に属するデータを同時に送信するために、十分に異なる方向を利用し得る。ＴＤＭＡシステムは、異なるタイムスロットに送信信号を分割することによって、複数の局が同じ周波数チャネルを共有することを可能にし得、各タイムスロットは、異なる局に割り当てられる。ＯＦＤＭＡシステムは、直交周波数分割多重化（ＯＦＤＭ）を利用し、これは、システム帯域幅全体を複数の直交サブキャリアに分割する変調技法である。これらのサブキャリアは、トーン、ビン等とも呼ばれ得る。ＯＦＤＭでは、各サブキャリアは、データで独立して変調され得る。ＳＣ−ＦＤＭＡシステムは、システム帯域幅にわたって分散されたサブキャリア上で送信するためにインターリーブドＦＤＭＡ（ＩＦＤＭＡ）を利用し、隣接サブキャリアのブロック上で送信するためにローカライズドＦＤＭＡ（ＬＦＤＭＡ）を利用し、または、隣接サブキャリアの複数のブロック上で送信するためにエンハンスドＦＤＭＡ（ＥＦＤＭＡ）を利用し得る。一般に、変調シンボルは、ＯＦＤＭでは周波数領域で、およびＳＣ−ＦＤＭＡでは時間領域で送られる。
【００４８】
[0067]本明細書における教示は、様々なワイヤードまたはワイヤレス装置（例えば、ノード）に組み込まれ得る（例えば、それらの中で実現される、またはそれらによって実行される）。いくつかの態様では、本明細書における教示にしたがって実現された無線ノードは、アクセスポイントまたはアクセス端末を備え得る。
【００４９】
[0068]アクセスポイント（「ＡＰ」）は、ノードＢ、無線ネットワークコントローラ（「ＲＮＣ」）、発展型ノードＢ（ｅＮＢ）、基地局コントローラ（「ＢＳＣ」）、ベーストランシーバ基地局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備え、これらとして実現され、またはこれらとして知られ得る。
【００５０】
[0069]アクセス端末（「ＡＴ」）は、加入者局、加入者ユニット、モバイル局（ＭＳ）、リモート局、リモート端末、ユーザ端末（ＵＴ）、ユーザエージェント、ユーザデバイス、ユーザ機器（ＵＥ）、ユーザ局、または何らかの他の用語を備え、これらとして実現され、またはこれらとして知られ得る。いくつかの実現では、アクセス端末は、セルラ電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、局（ＡＰとして機能する「ＡＰ ＳＴＡ」または「非ＡＰ ＳＴＡ」のような「ＳＴＡ」）、またはワイヤレスモデムに接続された何らかの他の適切な処理デバイスを備え得る。したがって、本明細書で教示される１つまたは複数の態様は、電話（例えば、セルラ電話またはスマートフォン）、コンピュータ（例えば、ラップトップ）、タブレット、ポータブル通信デバイス、ポータブルコンピューティングデバイス（例えば、携帯情報端末）、エンターテインメントデバイス（例えば、音楽またはビデオデバイス、または衛星ラジオ）、全地球測位システム（ＧＰＳ）デバイス、または、ワイヤレスまたはワイヤード媒体を介して通信するように構成された任意の他の適切なデバイス中に組み込まれ得る。いくつかの態様では、ＡＴはワイヤレスノードであり得る。そのようなワイヤレスノードは、例えば、ワイヤードまたはワイヤレス通信リンクを介して、ネットワーク（例えば、セルラネットワークまたはインターネットのような広域ネットワーク）のための、またはそれへの接続性を提供し得る。
実例的なワイヤレス通信システム
[0070]図１は、本開示の態様が実行され得るシステム１００を例示する。例えば、アクセスポイント１２０は、局（ＳＴＡ）１２０との通信中の信号品質を改善するためにビームフォーミングトレーニングを実行し得る。ビームフォーミングトレーニングは、ＭＩＭＯ送信方式を使用して実行され得る。
【００５１】
[0071]システム１００は、例えば、アクセスポイントおよび局を有する多元接続多入力多出力（ＭＩＭＯ）システム１００であり得る。簡潔さのために、図１には１つのアクセスポイント１１０のみが図示されている。アクセスポイントは、一般に、局と通信する固定局であり、基地局または何らかの他の用語で呼ばれることもある。ＳＴＡは、固定または可動であり得、モバイル局、ワイヤレスデバイス、または何らかの他の用語でも呼ばれ得る。アクセスポイント１１０は、ダウンリンクおよびアップリンク上で、任意の所与の瞬間に１つまたは複数のＳＴＡ １２０と通信し得る。ダウンリンク（すなわち、順方向リンク）は、アクセスポイントからＳＴＡへの通信リンクであり、アップリンク（すなわち、逆方向リンク）は、ＳＴＡからアクセスポイントへの通信リンクである。ＳＴＡはまた、別のＳＴＡとピアツーピア（Ｐ２Ｐ）で通信し得る。
【００５２】
[0072]システムコントローラ１３０は、これらのＡＰおよび／または他のシステムのための調整および制御を提供し得る。ＡＰは、例えば、無線周波数電力、チャネル、認証、およびセキュリティに対する調整を扱い得る、システムコントローラ１３０によって管理され得る。システムコントローラ１３０は、バックホールを介してＡＰと通信し得る。ＡＰはまた、例えば、ワイヤレスまたはワイヤラインバックホールを介して直接的または間接的に、互いに通信し得る。
【００５３】
[0073]以下の開示の一部が空間分割多元接続（ＳＤＭＡ）を介して通信することができるＳＴＡ １２０を説明することになる一方で、ある特定の態様では、ＳＴＡ １２０はまた、ＳＤＭＡをサポートしないいくつかのＳＴＡを含み得る。したがって、このような態様では、ＡＰ １１０は、ＳＤＭＡ ＳＴＡと非ＳＤＭＡ ＳＴＡの両方と通信するように構成され得る。このアプローチは、好都合なことに、より古いバージョンのＳＴＡ（「レガシー」局）が事業展開され続けることを可能にし、それらの耐用寿命を延長するとともに、より新しいＳＤＭＡ ＳＴＡが適宜に導入されることを可能にし得る。
【００５４】
[0074]システム１００は、ダウンリンクおよびアップリンク上のデータ送信のために、複数の送信アンテナおよび複数の受信アンテナを用いる。アクセスポイント１１０は、Ｎａｐ個のアンテナを装備し、ダウンリンク送信用に多入力（ＭＩ）を、およびアップリンク送信用に多出力（ＭＯ）を表す。Ｋ個の選択されたＳＴＡ １２０のセットは、ダウンリンク送信については多出力、およびアップリンク送信については多入力を集合的に表す。純粋なＳＤＭＡでは、Ｋ個のＳＴＡのためのデータシンボルストリームが、何らかの手段によってコード、周波数、または時間において多重化されていない場合、Ｎａｐ≧Ｋ≧１であることが望ましい。データシンボルストリームが、ＴＤＭＡ技法、ＣＤＭＡを用いた異なるコードチャネル、ＯＦＤＭを用いた互いに素なサブバンドのセットなどを使用して多重化され得る場合、Ｋは、Ｎａｐよりも大きくなり得る。各選択されたＳＴＡは、アクセスポイントにユーザ固有のデータを送信し、および／または、アクセスポイントからユーザ固有のデータを受信する。一般に、各選択されたＳＴＡは、１つまたは複数（すなわち、Ｎｕｔ≧１）のアンテナを装備し得る。Ｋ個の選択されたＳＴＡは、同一のまたは異なる数のアンテナを有することができる。
【００５５】
[0075]システム１００は、時分割複信（ＴＤＤ）システムまたは周波数分割複信（ＦＤＤ）システムであり得る。ＴＤＤシステムでは、ダウンリンクおよびアップリンクは、同じ周波数帯域を共有する。ＦＤＤシステムでは、ダウンリンクおよびアップリンクは、異なる周波数帯域を使用する。ＭＩＭＯシステム１００はまた、送信のために単一キャリアまたは複数キャリアも利用し得る。各ＳＴＡは、（例えば、コストを低く抑えるために）単一のアンテナを、または（例えば、追加のコストがサポートされ得る場合）複数のアンテナを装備し得る。異なる複数のタイムスロットに送信／受信を分割し、各タイムスロットが異なるＳＴＡ １２０に割り当てられていることによって、ＳＴＡ １２０が同じ周波数チャネルを共有する場合、システム１００は、ＴＤＭＡシステムでもあり得る。
【００５６】
[0076]図２は、本開示の態様を実現するために使用され得る、図１で例示されたＡＰ １１０およびＵＴ １２０の実例的なコンポーネントを例示する。ＡＰ １１０およびＵＴ １２０の１つまたは複数のコンポーネントは、本開示の態様を実施するために使用され得る。例えば、アンテナ２２４、ＴＸ／ＲＸ２２２、プロセッサ２１０、２２０、２４０、２４２、および／またはコントローラ２３０またはアンテナ２５２、Ｔｘ／Ｒｘ２５４、プロセッサ２６０、２７０、２８８、および２９０、および／またはコントローラ２８０は、本明細書で説明される、かつ図７および７Ａ、図８および８Ａ、図１０および１０Ａ、図１１および１１Ａ、図１２および１２Ａ、および／または図１３および１３Ａを参照して例示される動作を実行するために使用され得る。
【００５７】
[0077]図２は、ＭＩＭＯシステム１００における、アクセスポイント１１０、２つのＳＴＡ １２０ｍおよび１２０ｘのブロック図を例示する。アクセスポイント１１０は、Ｎｔ個のアンテナ２２４ａ〜２２４ａｐを装備する。ＳＴＡ １２０ｍは、Ｎｕｔ，ｍ個のアンテナ２５２ｍａ〜２５２ｍｕを装備し、ＳＴＡ １２０ｘは、Ｎｕｔ，ｘ個のアンテナ２５２ｘａ〜２５２ｘｕを装備する。アクセスポイント１１０は、ダウンリンクでは送信エンティティであり、アップリンクでは受信エンティティである。各ＳＴＡ １２０は、アップリンクでは送信エンティティであり、ダウンリンクでは受信エンティティである。ここで使用される場合、「送信エンティティ」は、ワイヤレスチャネルを介してデータを送信することが可能な独立して動作する装置またはデバイスであり、「受信エンティティ」は、ワイヤレスチャネルを介してデータを受信することが可能な独立して動作する装置またはデバイスである。以下の説明では、下付き文字「ｄｎ」はダウンリンクを示し、下付き文字「ｕｐ」はアップリンクを示し、Ｎｕｐ個のＳＴＡがアップリンク上の同時送信のために選択され、Ｎｄｎ個のＳＴＡがダウンリンク上の同時送信のために選択され、Ｎｕｐは、Ｎｄｎに等しいことも等しくないこともあり得、ＮｕｐおよびＮｄｎは、静的な値であるか、またはスケジューリング間隔ごとに変化し得る。ビームステアリングまたは何らかの他の空間処理技法が、アクセスポイントおよびＳＴＡにおいて使用され得る。
【００５８】
[0078]アップリンク上では、アップリンク送信のために選択された各ＳＴＡ １２０において、送信（ＴＸ）データプロセッサ２８８が、データソース２８６からトラフィックデータを、コントローラ２８０から制御データを受信する。コントローラ２８０は、メモリ２８２と結合され得る。ＴＸデータプロセッサ２８８は、ＳＴＡのために選択されたレートに関連付けられたコーディングおよび変調方式に基づいて、ＳＴＡのためのトラフィックデータを処理し（例えば、符号化する、インターリーブする、および変調する）、データシンボルストリームを提供する。ＴＸ空間プロセッサ２９０は、データシンボルストリームに対して空間処理を実行し、Ｎｕｔ，ｍ個のアンテナにＮｕｔ，ｍ個の送信シンボルストリームを提供する。各送信機ユニット（ＴＭＴＲ）２５４は、アップリンク信号を生成するために、それぞれの送信シンボルストリームを受信して、処理する（例えば、アナログに変換する、増幅する、フィルタリングする、および周波数アップコンバートする）。Ｎｕｔ，ｍ個の送信機ユニット２５４は、Ｎｕｔ，ｍ個のアンテナ２５２からアクセスポイントへの送信のために、Ｎｕｔ，ｍ個のアップリンク信号を提供する。
【００５９】
[0079]Ｎｕｐ個のＳＴＡが、アップリンク上の同時送信のためにスケジュールされ得る。これらのＳＴＡの各々は、そのデータシンボルストリームに対して空間処理を実行し、その送信シンボルストリームのセットをアップリンク上でアクセスポイントに送信する。
【００６０】
[0080]アクセスポイント１１０において、Ｎａｐ個のアンテナ２２４ａ〜２２４ａｐは、アップリンク上で送信している全てのＮｕｐ個のＳＴＡからアップリンク信号を受信する。各アンテナ２２４は、受信された信号をそれぞれの受信機ユニット（ＲＣＶＲ）２２２に提供する。各受信機ユニット２２２は、送信機ユニット２５４によって実行されたものと相補的な処理を実行し、受信されたシンボルストリームを提供する。ＲＸ空間プロセッサ２４０は、Ｎａｐ個の受信機ユニット２２２からのＮａｐ個の受信シンボルストリームに対して受信機空間処理を行い、Ｎｕｐ個の復元されたアップリンクデータシンボルストリームを提供する。受信機空間処理は、チャネル相関マトリクス反転（ＣＣＭＩ）、最小平均二乗誤差（ＭＭＳＥ）、ソフト干渉除去（ＳＩＣ）、または何らかの他の技法にしたがって実行される。各復元されたアップリンクデータシンボルストリームは、それぞれのＳＴＡによって送信されたデータシンボルストリームの推定（estimate）である。ＲＸデータプロセッサ２４２は、復号されたデータを取得するために、そのストリームのために使用されたレートにしたがって、各復元されたアップリンクデータシンボルストリームを処理する（例えば、復調する、デインターリーブする、および復号する）。各ＳＴＡのための復号されたデータは、記憶のためにデータシンク２４４に提供され、および／または、さらなる処理のためにコントローラ２３０に提供され得る。コントローラ２３０は、メモリ２３２と結合され得る。
【００６１】
[0081]ダウンリンク上では、アクセスポイント１１０において、ＴＸデータプロセッサ２１０が、ダウンリンク送信のためにスケジュールされたＮｄｎ個のＳＴＡのために、データソース２０８からトラフィックデータを受信し、コントローラ２３０から制御データを受信し、場合によってはスケジューラ２３４から他のデータを受信する。様々なタイプのデータは、異なるトランスポートチャネル上で送られ得る。ＴＸデータプロセッサ２１０は、そのＳＴＡのために選択されたレートに基づいて、各ＳＴＡのためのトラフィックデータを処理する（例えば、符号化する、インターリーブする、および変調する）。ＴＸデータプロセッサ２１０は、Ｎｄｎ個のＳＴＡのためのＮｄｎ個のダウンリンクデータシンボルストリームを提供する。ＴＸ空間プロセッサ２２０は、Ｎｄｎ個のダウンリンクデータシンボルストリームに対して（本開示において説明されるように、プリコーディングまたはビームフォーミングのような）空間処理を実行し、Ｎａｐ個のアンテナのためのＮａｐ個の送信シンボルストリームを提供する。各送信機ユニット２２２は、ダウンリンク信号を生成するために、それぞれの送信シンボルストリームを受信および処理する。Ｎａｐ個の送信機ユニット２２２は、Ｎａｐ個のアンテナ２２４からＳＴＡへの送信のために、Ｎａｐ個のダウンリンク信号を提供する。各ＳＴＡのための復号されたデータは、記憶のためにデータシンク２７２に提供され、および／または、さらなる処理のためにコントローラ２８０に提供され得る。
【００６２】
[0082]各ＳＴＡ １２０において、Ｎｕｔ，ｍ個のアンテナ２５２が、アクセスポイント１１０から、Ｎａｐ個のダウンリンク信号を受信する。各受信機ユニット２５４は、関連付けられたアンテナ２５２からの受信された信号を処理し、受信されたシンボルストリームを提供する。ＲＸ空間プロセッサ２６０は、Ｎｕｔ，ｍ個の受信機ユニット２５４からのＮｕｔ，ｍ個の受信されたシンボルストリームに対して受信機空間処理を行い、そのＳＴＡに復元されたダウンリンクデータシンボルストリームを提供する。受信機空間処理は、ＣＣＭＩ、ＭＭＳＥ、または何らかの他の技法にしたがって実行される。ＲＸデータプロセッサ２７０は、ＳＴＡのための復号されたデータを取得するために、復元されたダウンリンクデータシンボルストリームを処理する（例えば、復調する、デインターリーブする、および復号する）。
【００６３】
[0083]各ＳＴＡ １２０において、チャネル推定器２７８は、ダウンリンクチャネル応答を推定して、ダウンリンクチャネル推定値を提供し、これは、チャネル利得推定値、ＳＮＲ推定値、雑音分散などを含み得る。同様に、アクセスポイント１１０において、チャネル推定器２２８は、アップリンクチャネル応答を推定して、アップリンクチャネル推定値を提供する。各ＳＴＡのためのコントローラ２８０は、典型的に、ＳＴＡのための空間フィルタマトリクスを、そのＳＴＡのためのダウンリンクチャネル応答マトリクスＨｄｎ，ｍに基づいて導出する。コントローラ２３０は、有効アップリンクチャネル応答マトリクスＨｕｐ，ｅｆｆに基づいて、アクセスポイントのための空間フィルタマトリクスを導出する。各ＳＴＡのためのコントローラ２８０は、アクセスポイントにフィードバック情報（例えば、ダウンリンクおよび／またはアップリンク固有ベクトル、固有値、ＳＮＲ推定値など）を送り得る。コントローラ２３０および２８０はまた、それぞれ、アクセスポイント１１０およびＳＴＡ１２０におけるさまざまな処理ユニットの動作を制御する。
【００６４】
[0084]図３は、ＭＩＭＯシステム１００内で用いられ得るワイヤレスデバイス３０２において利用され得る様々なコンポーネントを例示する。ワイヤレスデバイス３０２は、本明細書で説明される様々な方法を実現するように構成され得るデバイスの例である。例えば、ワイヤレスデバイスは、それぞれ図８および図９で例示される動作８００および９００を実現し得る。ワイヤレスデバイス３０２は、アクセスポイント１１０またはＳＴＡ １２０であり得る。
【００６５】
[0085]ワイヤレスデバイス３０２は、ワイヤレスデバイス３０２の動作を制御するプロセッサ３０４を含み得る。プロセッサ３０４は、中央処理ユニット（ＣＰＵ）と呼ばれることもある。読取専用メモリ（ＲＯＭ）とランダムアクセスメモリ（ＲＡＭ）の両方を含み得るメモリ３０６は、プロセッサ３０４に命令およびデータを提供する。メモリ３０６の一部はまた、不揮発性ランダムアクセスメモリ（ＮＶＲＡＭ）を含み得る。プロセッサ３０４は、典型的に、メモリ３０６内に記憶されたプログラム命令に基づいて、論理演算および算術演算を実行する。メモリ３０６における命令は、本明細書において説明される方法を実現するために実行可能であり得る。
【００６６】
[0086]ワイヤレスデバイス３０２はまた、ワイヤレスデバイス３０２とリモートノードの間のデータの送信および受信を可能にするために送信機３１０および受信機３１２を含み得るハウジング３０８を含み得る。半二重システム（例えば、ＷＬＡＮ）のようないくつかのケースでは、送信機３１０および受信機３１２が組み合わされ得る。送信機３１０および受信機３１２は、トランシーバ３１４に組み合わされ得る。単数のまたは複数の送信アンテナ３１６が、ハウジング３０８に取り付けられ、トランシーバ３１４に電気的に結合され得る。ワイヤレスデバイス３０２はまた、（図示されていない）複数の送信機、複数の受信機、および複数のトランシーバを含み得る。
【００６７】
[0087]ワイヤレスデバイス３０２はまた、トランシーバ３１４によって受信される信号のレベルを検出および定量化する試みにおいて使用され得る信号検出器３１８を含み得る。信号検出器３１８は、このような信号を、総エネルギー、シンボルごとのサブキャリア当たりのエネルギー、電力スペクトル密度、および他の信号として検出し得る。ワイヤレスデバイス３０２はまた、信号を処理する際に使用するためのデジタルシグナルプロセッサ（ＤＳＰ）３２０を含み得る。
【００６８】
[0088]ワイヤレスデバイス３０２の様々なコンポーネントは、バスシステム３２２によって共に結合され得、これは、データバスに加えて、電力バス、制御信号バス、およびステータス信号バスを含み得る。
実例的なビームフォーミングトレーニング
[0089]本開示の態様は、トレーニング信号に基づいてデバイス（例えば、ＡＰおよび／または非ＡＰ ＳＴＡ）の相対的な回転を決定するために使用され得る。いくつかのケースでは、トレーニング信号は、例えば、ＩＥＥＥ８０２．１１ａｄ規格にしたがって、ビームフォーミング（ＢＦ）トレーニングプロセスの一部として送信され得る。相対的な回転を知ることは、各デバイスが送信および受信のためのアンテナ設定を最適化することを可能にし得る。
【００６９】
[0090]実例的なＢＦトレーニングプロセスは、図４で例示される。ＢＦプロセスは、通常、一対のミリメートル波局、例えば、受信機と送信機、によって用いられる。局の各ペアリングは、それらのネットワークデバイス間の後続の通信のために必要なリンクバジェットを達成する。したがって、ＢＦトレーニングは、通常、セクタスイープ（sector sweep）を使用するＢＦトレーニングフレーム送信の双方向シーケンスを伴い、各局が送信および受信の両方のための適切なアンテナシステム設定を決定することを可能にするために必要な信号を提供する。ＢＦトレーニングが正常に終了した後、（たとえば、ミリメートル波）通信リンクが確立され得る。
【００７０】
[0091]ビームフォーミングプロセスは、ミリメートル波スペクトルにおける通信に関する問題のうちの１つ、それは、それの高いパス損失である、に対処するのに役立つことができる。したがって、多数のアンテナが、通信範囲を拡張するためにビームフォーミング利得を活用するように、各トランシーバにおいて配置される。すなわち、同じ信号は、わずかに異なる時間においてであるが、アレイにおける各アンテナから送られる。
【００７１】
[0092]図４に例示される実例的なＢＦトレーニングプロセス４００で示されるように、ＢＦプロセスは、セクタレベルスイープ（ＳＬＳ）フェーズ４１０および後続ビーム微調整（beam refinement）ステージ４２０を含み得る。ＳＬＳフェーズでは、ＳＴＡのうちの１つが、イニシエータセクタスイープ４１２を実施することによってイニシエータとして機能し、これは応答局による送信セクタスイープ４１４によって後続される（ここで、応答局は、レスポンダセクタスイープ（responder sector sweep）を実施する）。セクタは、一般に、特定のセクタＩＤに対応する受信アンテナパターンまたは送信アンテナパターンのいずれかを指す。上述されたように、局は、アンテナアレイ（例えば、フェーズドアンテナアレイ）における１つまたは複数のアクティブなアンテナを含むトランシーバを有し得る。
【００７２】
[0093]ＳＬＳフェーズ４１０は通常、開始局（initiating station）がセクタスイープフィードバック４１６を受信し、セクタ確認応答（ＡＣＫ）４１８を送った後に終了し、それによってＢＦを確立する。イニシエータ局および応答局の各トランシーバは、異なるセクタを介して、セクタスイープ（ＳＳＷ）フレームの受信機セクタスイープ（ＲＸＳＳ）受信を実施するように構成され、ここで、スイープは、連続した受信と、異なるセクタを介した指向性マルチギガビット（ＤＭＧ：directional Multi-gigabit）ビーコンフレームまたは複数のセクタスイープ（ＳＳＷ）の送信（ＴＸＳＳ）と、の間で実行され、ここで、スイープは、連続した送信の間で実行される。
【００７３】
[0094]ビーム微調整フェーズ４２０中、各局は、その中で送信機または受信機におけるアンテナ構成が送信間で変更され得るショートビームフォーミングフレーム間スペース（ＳＢＩＦＳ：short beamforming interframe space）間隔によって分離される、送信のシーケンス（４２２および４２４）をスイープし（sweep）得、結果的に最終的なＢＲＰフィードバック４２６と４２８の交換となる。このように、ビーム微調整（refinement）は、局が、送信および受信の両方のために、そのアンテナ構成（またはアンテナ重みベクトル）を向上させ得るプロセスである。すなわち、各アンテナは、アンテナ重みベクトル（ＡＷＶ）を含み、それは、アンテナアレイの各素子についての励振（excitation）（振幅および位相）を記述する重みのベクトルをさらに含む。
【００７４】
[0095]図５は、本開示のある特定の態様による、用いられ得る実例的なデュアル偏波パッチ素子５００を例示する。図５に示されるように、アンテナアレイの単一の素子が、複数の偏波アンテナ（polarized antennas）を含み得る。複数の素子は、アンテナアレイを形成するために共に組み合わされ得る。偏波アンテナは、放射状に間隔を置かれ得る。例えば、図５に示されるように、水平偏波アンテナ５１０および垂直偏波アンテナ(vertically polarized antenna)５２０に対応する、２つの偏波アンテナが、直角に（perpendicularly）配列され得る。あるいは、任意の数の偏波アンテナが使用され得る。あるいは、またはこれに加えて、素子の１つまたは両方のアンテナがまた、円偏波され（circularly polarized）得る。
【００７５】
[0096]図６は、フェーズドアレイアンテナの実現における信号伝搬６００を例示する図である。フェーズドアレイアンテナは、同一の素子６１０−１〜６１０−４（以下では、個別に素子６１０または集合的に複数の素子６１０と称される）を使用する。信号が伝搬される方向は、各素子６１０に対してほぼ同一の利得を生み出す一方で、複数の素子６１０のフェーズ（位相）は異なる。これら素子によって受信される信号は、所望の方向における正確な利得で１つのコヒーレントビームに組み合わされる。アンテナ設計のさらなる考慮事項は、電界の予期される方向である。送信機および／または受信機が互いに対して回転されるケースでは、方向の変更に加えて、電界もまた回転される。これは、フェーズドアレイが、ある特定の極性にマッチするアンテナフィードまたはアンテナを使用することによって、電界の回転を取り扱いできる（able to handle）ことと、極性変化のイベントにおいて、組み合わされた極性または他方の極性に適合することが可能であることとを必要とする。
【００７６】
[0097]信号極性についての情報は、信号の送信機の態様を決定するために使用され得る。信号の電力は、異なる方向において偏波された異なるアンテナによって測定され得る。アンテナは、アンテナが直交方向に偏波されるように配列され得る。例えば、第１のアンテナが水平偏波され、第２のものが垂直偏波されるように、第１のアンテナは、第２のアンテナに対して直角に配列され得、ここで、第１のアンテナは水平軸を表し、第２のアンテナは垂直軸を表す。互いに対して様々な角度で間隔を置かれた、追加のアンテナも含まれ得る。一度受信機が送信の極性（polarity）を決定すると、受信機は、受信された信号にアンテナをマッチングすることによる受信を使用することによって、性能を最適化し得る。
多入力多出力（ＭＩＭＯ）送信方式を使用する実例的なビームフォーミングトレーニング
[0098]ＩＥＥＥ８０２．１１ａｄ ＷＬＡＮ規格のスループットを拡張するために、ＩＥＥＥ８０２．１１ａｙ規格が展開され得る。ＩＥＥＥ８０２．１１ａｙ規格のために、単一ユーザ（ＳＵ）ＭＩＭＯおよびマルチユーザ（ＭＵ）ＭＩＭＯのサポートが展開され得る。
【００７７】
[0099]ＭＩＭＯサポートの一部として、ｍｍＷａｖｅ（６０ＧＨｚ帯域）におけるビームフォーミングが、ＩＥＥＥ８０２．１１ａｙ規格においてサポートされ得る。既存の８０２．１１ａｄ規格で定められているように、すべてのＭＩＭＯのケースが既存のビームフォーミングプロトコルを適応させ得る。既存のビームフォーミング技法は、ビーム微調整プロトコル（ＢＲＰ）、セクタスイープ（ＳＳＷ）メッセージ、およびビームフォーミングリクエストフィールド（例えば、ＢＲＰリクエストフィールド）のような対応フィールドに基づき得る。しかしながら、これらメッセージは、ＭＩＭＯビームフォーミングに適していない可能性がある。よって、ＭＩＭＯ送信方式を使用するビームフォーミングを可能とするためのＩＥＥＥ８０２．１１ａｄ規格への適応が必要となる。
【００７８】
[0100]本開示の態様は、ＩＥＥＥ８０２．１１ａｄにしたがった既存のフィールドが再利用されることを可能にする方法でＩＥＥＥ８０２．１１ａｙ（ＭＩＭＯビームフォーミング）に使用される既存のＩＥＥＥ８０２．１１ａｄ規格を適応させるために、ＩＥＥＥ８０２．１１ａｄ規格の分野、方法、フロー、および制限に対する一連の変化を提供する。
【００７９】
[0101]図７は、本開示のある特定の態様にしたがった、ワイヤレス通信のための実例的な動作７００のフロー図である。動作７００は、装置（例えば、ＴＸデバイス）によって、例えば、（例えば、ＡＰ １１０またはＳＴＡ １２０のような）アクセスポイント（ＡＰ）または局（ＳＴＡ）によって、実行され得る。
【００８０】
[0102]動作７００は、７０２において、ビームフォーミングトレーニングに関連付けられたフレームを生成することによって開始し、フレームは、ＭＩＭＯ送信方式使用してビームフォーミングトレーニングが実行されるべきかどうかのインジケーションを備える。７０４において、装置は、送信のためにフレームを出力し得る。
【００８１】
[0103]図８は、本開示のある特定の態様にしたがった、ワイヤレス通信のための実例的な動作８００のフロー図である。動作８００は、装置（例えば、ＲＸデバイス）によって、例えば、（例えば、ＡＰ １１０またはＳＴＡ １２０のような）アクセスポイント（ＡＰ）または局（ＳＴＡ）によって、実行され得る。
【００８２】
[0104]動作８００は、８０２において、ビームフォーミングトレーニングに関連付けられたフレームを取得することによって開始し、フレームは多入力多出力（ＭＩＭＯ）送信方式を使用してビームフォーミングトレーニングが実行されるべきかどうかのインジケーションを備える。８０４において、装置は、ＭＩＭＯ送信方式を使用してビームフォーミングトレーニングが実行されるべきかどうかのインジケーションに基づいてビームフォーミングトレーニングを実行し得る。
【００８３】
[0105]ある特定の態様において、フレームは、ビーム微調整リクエストフィールド（例えば、ＢＲＰリクエストフィールド）を含み得、それは、ＭＩＭＯ送信方式を使用してビームフォーミングトレーニングが実行されるべきかどうかのインジケーションを提供するための１つまたは複数のビットを含み得る。ある特定の態様では、１つまたは複数のビットはまた、ＭＩＭＯ送信方式に使用されるストリームの数を示し得る。
【００８４】
[0106]図９Ａは、本開示のある特定の態様にしたがった、ＭＩＭＯ送信方式および／または対応する数のストリームを使用してビームフォーミングトレーニングが実行されるべきかどうかを示すために使用される１つまたは複数のビットを含み得る実例的なビームフォーミングリクエスト９００フォーマットを例示する。例示されるように、ビームフォーミングリクエストフィールドは、そのようなインジケーションを提供するために使用され得る１つまたは複数のリザーブされたビットを含み得る。
【００８５】
[0107]図９Ｂは、本開示のある特定の態様にしたがった、ＭＩＭＯ送信方式が使用されているかどうかを示すために使用される２つのビット、および対応する数のストリームを示す。ある特定の態様において、２つのビットは、ビット２８および２９のようなビームフォーミングリクエストフィールドのリザーブされたビットに対応し得る。示されるように、両方のビットについて「０」の値は、ＭＩＭＯ送信方式が使用されていないことを示し得る。「０１」の値は、２ｘ２のＭＩＭＯ送信方式であることを示し得、「１０」の値は、３ｘ３のＭＩＭＯ送信方式であることを示し得、「１１」の値は、４ｘ４のＭＩＭＯ送信方式であることを示し得る。
【００８６】
[0108]図９Ａにおいて示唆されたビットは、ＩＥＥＥ８０２．１１ａｄの既存のフィールドフォーマット、既存のフレーム、および既存の手順を再利用しながら、ＭＩＭＯ特有の動作を容易にし得る。ある特定の態様では、ＭＩＭＯ送信方式が使用されるかどうかのインジケーション、および対応する数のストリームは、ビームフォーミングトレーニングの最適化フェーズ中に使用され得る。
【００８７】
[0109]ある特定の態様では、ビームフォーミングリクエストフィールド９００は、ＭＩＭＯ送信方式が単一ユーザ（ＳＵ）かマルチユーザ（ＭＵ）かどうかのインジケーションを提供するための１つまたは複数のビットを含み得る。例えば、ビームフォーミングリクエストフィールド９００の別のビット（例えば、リザーブされたビット２７）は、ＭＵ−ＭＩＭＯまたはＳＵ−ＭＩＭＯ送信方式がビームフォーミングトレーニングに使用されているかどうかを示すために再割り当てされ得る。例えば、このビットが設定された場合、ビームフォーミングリクエストフィールド９００がＭＩＭＯ送信方式を使用するビームフォーミングトレーニングをリクエストしていることを示す。ビットがクリアされた場合、ビームフォーミングリクエストフィールド９００が単一入力単一出力（ＳＩＳＯ）送信方式またはＳＵ−ＭＩＭＯ送信方式を使用するビームフォーミングトレーニングをリクエストしていることを示す。
【００８８】
[0110]この追加のビットは、ＩＥＥＥ８０２．１１ａｄ規格の既存のフィールドフォーマット、既存のフレーム、および既存の手順を再利用しながら、ＭＵ−ＭＩＭＯ特有の動作を実行することを容易にし得る。
【００８９】
[0111]ＩＥＥＥ８０２．１１ａｄ規格では、フィールドバックタイプフィールド（「ＦＢＣＫ−ＴＹＰＥフィールド」）は、ビームフォーミングトレーニングに関連付けられたフレームに含まれ得る。このフィードバックタイプフィールドは、フレームの送信に応答して予期されるフィードバックのタイプを示すために使用され得る。さらに、フィードバックタイプフィールドは、ＩＥＥＥ規格８０２．１１ａｄにしたがって、信号対雑音比（ＳＮＲ）サブフィールドおよびチャネル測定サブフィールドにおける測定値の数を示し得る、いくつかの測定値フィールド（Ｎｍｅａｓ）を含み得る。
【００９０】
[0112]ビームフォーミングトレーニング（例えば、ビームフォーミングトレーニングのＢＲＰフェーズ）は、例えば、マルチプルセクタＩＤキャプチャ（ＭＩＤＣ）フェーズ、マルチプルセクタＩＤフェーズ、ＭＩＤプラスビーム結合（ＢＣ）フェーズ、およびＢＣフェーズのような、複数のフェーズを伴い得る。本開示のある特定の態様では、ＭＩＭＯ送信方式を使用してビームフォーミングトレーニングのＭＩＤフェーズ中に送られるビームフォーミングトレーニングフレーム（例えば、ＢＲＰフレーム）は、Ｎｍｅａｓフィールドの値をセクタカウントダウンとなるように設定し得る。例えば、セクタカウントダウンは、ビームフォーミングトレーニング中に送信のための残りのセクタの数を示すように構成されるカウンタであり得る。
【００９１】
[0113]ＩＥＥＥ８０２．１１ａｄにしたがって、フィードバックタイプフィールドは、ＳＮＲ現フィールド（SNR present field）およびチャネル測定現フィールド（channel measurement present field）のような、いくつかのフィールドを含み得る。これらフィールドは、チャネル測定フィードバックの一部として、ＳＮＲサブフィールドのような、他のサブフィールドの存在を示すために使用され得る。本開示のある特定の態様において、ＢＲＰ送信では、測定フィードバック要素が存在しない可能性があるため、これらすべての「現」フィールドは、０に設定され得る。
【００９２】
[0114]ある特定の態様では、Ｎｍｅａｓフィールドは、ＩＥＥＥ８０２．１１ａｄ規格で定められている「セクタスイープフィールド」における「ＣＤＯＷＮ」フィールドと同じ動きを有し得る。ＣＤＯＷＮフィールドは、ＴＸＳＳ終了までの残りの指向性ＤＭＧビーコンフレーム送信の数、またはＴＸＳＳおよび／またはＲＸＳＳ終了までの残りのＳＳＷフレーム送信の数を示すダウンカウンタである。このフィールドは、最後のフレームのＤＭＧビーコンおよびＳＳＷフレーム送信において０に設定され得る。
【００９３】
[0115]セクタカウントダウンを示すためにＮｍｅａｓフィールドを使用することによって、セクタカウントダウンはＢＲＰフレームにおいて示され得るが、そうでなければそのようなインジケーションを提供できない、およびセクタカウントダウンのインジケーションに使用され得るリザーブされたビットを有することができない。これは、ＩＥＥＥ８０２．１１ａｄ規格の既存のフィールドフォーマット、既存のフレーム、および既存の手順を再利用しながら、ビームフォーミングトレーニング中のＭＩＭＯ ＭＩＤ特有の動作を可能にする。
【００９４】
[0116]ビームフォーミングトレーニング中、複数のＢＲＰフレームが送信され得る。ＩＥＥＥ８０２．１１ａｄにしたがって、ＢＲＰフレームは、ビームフォーミングトレーニングのＭＩＤフェーズ中にフレーム間のショートインターフレームスペース（ＳＩＦＳ）で送信され得る。本開示のある特定の態様では、ＢＲＰフレームは、ＭＩＭＯ送信方式を使用するビームフォーミングのＭＩＤフェーズ中にフレーム間のショートビームフォーミングインターフレームスペース（ＳＢＩＦＳ）を使用して送信され得る。フレーム間のＳＢＩＦＳを用いてＢＲＰフレームを送信することによって、送信時間が低減され得、それは、関係しているすべてのデバイスの電力消費を節約し、媒体利用率（medium utilization）を節約する。
【００９５】
[0117]既存のビームフォーミングトレーニングプロトコル（例えば、ＩＥＥＥ８０２．１１ａｄ）にしたがったビームフォーミングトレーニングは、ビームフォーミングトレーニングのＭＩＤフェーズおよびＢＣフェーズ中の応答メッセージに応答して送られる許可メッセージについて指定し得る。本開示のある特定の態様では、ＭＩＭＯ送信方式を使用するビームフォーミングトレーニングのＭＩＤフェーズ中、ＢＲＰフレームは、ＭＩＤ許可（例えば、ＭＩＤ許可フィールド＝１）および関連情報要素と共に送られ得、ＭＩＤ許可は、前のＭＩＤリクエストに応答しない可能性がある。許可を受信する装置が応じる（comply）ことができない場合、例えば、許可はＭＩＤリクエストに応答しているのではないため、当該受信装置は、誤りメッセージを送る可能性がある。この変更は、いかなる悪影響もなしに（例えば、ＩＥＥＥ８０２．１１ａｄにしたがって）既存のフレームフォーマットを再利用しながら、プロトコル遅延の短縮、時間、電力、および媒体利用率の節約を可能にする。
【００９６】
[0118]既存のプロトコルは、受信機によって示されるセクタのリストを使用するためにＭＩＤメッセージの送信機について指定し得る。例えば、ＩＥＥＥ８０２．１１ａｄは、ビームフォーミングトレーニングの受信ＭＩＤフェーズにおいて、レスポンダが、選択された送信セクタのうちの１つから１つの受信ＢＲＰパケットをそれぞれ送信することを示す。
【００９７】
[0119]本開示のある特定の態様では、ＭＩＤ送信機は、ＭＩＭＯ送信方式を使用するビームフォーミングトレーニングのＭＩＤフェーズ中に受信機によって示されるセクタを加え得る、および／またはそれからセクタを取り除き得る。すなわち、ＭＩＤ送信機は、ＭＩＭＯビームフォーミングを改善するためにアルゴリズムにしたがってセクタを加える、および／または取り除き得る。例えば、送信機がＭＩＭＯビームフォーミング中にセクタを加える、および／または取り除くことを可能にすることで、送信機は、複数の受信機でビームフォーミングを実行することが可能であり得る。送信機は、第１の受信機によって少なくとも１つのセクタのインジケーションを、第２の受信機によって少なくとも１つのセクタのインジケーションを取得し得る。送信機は、送信機が第１および第２の受信機の両方を共にトレーニングすることができるようにビームフォーミングトレーニングを実行するために、例えば、第１および第２の受信機によって示されるような、第１および第２のセクタの両方を使用し得る。
【００９８】
[0120]この変更は、送信時間の低減を可能にし、それは、既存のフレームフォーマットを再利用しながら、直接的に、関係しているすべてのデバイスの消費電力を節約し、媒体利用率を節約する。この技法はまた、ＭＩＭＯビームフォーミングを改善するために、すべての利用可能なセクタの使用を許可しながら、これらセクタを使用してセクタレベルスイープ（ＳＬＳ）を回避する。
【００９９】
[0121]例えば、ＭＩＭＯ送信方式を使用して、複数の受信機（例えば、ＳＴＡ）でビームフォーミングトレーニングを実行する場合、２つ以上のＳＴＡがＭＩＤ受信アクティビティを受信および実行し得る。よって、２つ以上のＳＴＡがＢＲＰフレームを受信し、ＢＲＰフレームに対するフィードバックを送信している可能性がある。よって、複数の受信機の各々からのＢＲＰフィードバックが衝突し、互いに干渉を引き起こす可能性がある。
【０１００】
[0122]本開示のある特定の態様は、各受信機がＢＲＰフレームを受信した後に、ＢＲＰフィードバックを自動的に送信するのを防ぐことができる。むしろ、各受信機は、マルチユーザシーケンスにしたがって、ＢＲＰフレームに対応するフィードバックを送り得る。例えば、各受信機は、フィードバックリクエストのようなインジケーションを受信すると、または各受信機からのＢＲＰフィードバック送信が衝突しないように予め決定された時間期間（例えば、タイムアウト期間）を待った後で、フィードバックを送信するように構成され得る。タイムアウト期間は、誤り問題に対処し、デッドロック状況を回避するために使用され得る。この変更は、応答（フィードバックメッセージ）の衝突を避けながら、ＭＵ−ＭＩＭＯ送信方式を使用するビームフォーミングトレーニングのＭＩＤフェーズのための既存のＢＲＰフレームの再利用を可能にする。
【０１０１】
[0123]ビームフォーミングトレーニングのセクタレベルスイープ（ＳＬＳ）フェーズは、ビーコン送信間隔（ＢＴＩ：beacon transfer interval）およびデータ送信間隔（ＤＴＩ：data transfer interval）においてＳＳＷフレームを使用するＴＸＳＳを伴い得る。ＩＥＥＥ８０２．１１−ＲＥＶｍｃ／Ｄ４．３では、セクタスイープの一部として送信されるフレームがトレーニング（ＴＲＮ）フィールドを含まないことが示された。
【０１０２】
[0124]本開示のある特定の態様は、ＳＳＷフレームが、フェーズＭＩＤＣ、ＭＩＤ、ＭＩＤ＋ＢＣ、およびＢＣのうちの少なくとも１つにおいて、ＭＩＭＯ送信方式を使用するビームフォーミング中に使用され得ることを提供する。
【０１０３】
[0125]図１０は、本開示のある特定の態様にしたがった、ワイヤレス通信のための実例的な動作１０００のフロー図である。動作１０００は、装置（例えば、ＴＸデバイス）によって、例えば、（例えば、ＡＰ １１０またはＳＴＡ １２０のような）アクセスポイント（ＡＰ）または局（ＳＴＡ）によって、実行され得る。
【０１０４】
[0126]動作１０００は、１００２において、ビームフォーミングトレーニングのＭＩＤＣフェーズ、ビームフォーミングトレーニングのＭＩＤフェーズ、ビームフォーミングトレーニングのＭＩＤおよびＢＣフェーズ、またはビームフォーミングトレーニングのＢＣフェーズのうちの少なくとも１つの間での送信のためにセクタスイープ（ＳＳＷ）フレームを生成することによって開始する。８０４において、装置は、送信のためにＳＳＷフレームを出力し得る。
【０１０５】
[0127]図１１は、本開示のある特定の態様にしたがった、ワイヤレス通信のための実例的な動作１１００のフロー図である。動作１１００は、装置（例えば、ＲＸデバイス）によって、例えば、（例えば、ＡＰ １１０またはＳＴＡ １２０のような）アクセスポイント（ＡＰ）または局（ＳＴＡ）によって、実行され得る。
【０１０６】
[0128]動作１１００は、１１０２において、ビームフォーミングトレーニングのＭＩＤＣフェーズ、ビームフォーミングトレーニングのＭＩＤフェーズ、ビームフォーミングトレーニングのＭＩＤおよびＢＣフェーズ、またはビームフォーミングトレーニングのＢＣフェーズのうちの少なくとも１つの間にセクタスイープ（ＳＳＷ）フレームを取得することによって開始する。８０４において、装置は、ＳＳＷフレームを使用してビームフォーミングトレーニングを実行し得る。
【０１０７】
[0129]ある特定の態様では、ＳＳＷフレームが、フェーズＭＩＤＣ、ＭＩＤ、ＭＩＤ＋ＢＣ、およびＢＣのうちの少なくとも１つにおいて、ＭＩＭＯ送信方式を使用するビームフォーミングトレーニング中にＴＲＮフィールドを含み得る。ＳＳＷフレームがビームフォーミングトレーニングのＭＩＤＣ、ＭＩＤ、ＭＩＤ＋ＢＣ、およびＢＣフェーズ中にＴＲＮフィールドを含むことを可能にすることで、送信時間が低減され得、それは、ＩＥＥＥ８０２．１１ａｄの既存のフレームフォーマットを再利用しながら、関係しているすべてのデバイスの消費電力を節約し、媒体利用率を節約する。
【０１０８】
[0130]ＩＥＥＥ８０２．１１ａｄにしたがったＳＳＷおよびＢＲＰフィールドは、アンテナＩＤを含み得、それは「ＤＭＧアンテナＩＤ」と呼ばれることもあり得る。アンテナＩＤは、送信機が送信のために現在使用しているＤＭＧアンテナを示し得る。本開示のある特定の態様では、ＳＳＷおよびＢＲＰフィールドのアンテナＩＤフィールドは、ビームフォーミングトレーニングのためのＭＩＭＯ送信方式を使用するとき、ＲＦチェーンを示すように再割り当てされ得る。ＲＦチェーンＩＤは、処理チェーンを送信または受信するＭＩＭＯに関連付けられたＲＦチェーンを指定するインデックスであり得る。ＭＩＭＯをサポートするＳＴＡは、それが有するＲＦチェーンの各々を介して独立した空間ストリームを送信／受信することが可能であり得る。この変更は、ＩＥＥＥ８０２．１１ａｄにしたがって既存のフィールドを使用することでＭＩＭＯ送信方式を使用するビームフォーミングにとって重要であり得る、ＲＦチェーンＩＤフィールドのシグナリングを可能にする。
【０１０９】
[0131]図１２は、本開示のある特定の態様にしたがった、ワイヤレス通信のための実例的な動作１２００のフロー図である。動作１２００は、装置（例えば、ＴＸデバイス）によって、例えば、（例えば、ＡＰ １１０またはＳＴＡ １２０のような）アクセスポイント（ＡＰ）または局（ＳＴＡ）によって、実行され得る。
【０１１０】
[0132]動作１２００は、１２０２において、ビームフォーミングトレーニングに関連付けられたフレームを生成することによって開始し、フレームは少なくとも１つのセクタスイープ（ＳＳＷ）フィールドを備え、ここにおいて、ＳＳＷフィールドはビームフォーミングトレーニングの間に使用されるＭＩＭＯ送信方式に関連付けられたＲＦチェーンのインジケーションを備える。８０４において、装置は、送信のためにフレームを出力し得る。
【０１１１】
[0133]図１３は、本開示のある特定の態様にしたがった、ワイヤレス通信のための実例的な動作１３００のフロー図である。動作１３００は、装置（例えば、ＲＸデバイス）によって、例えば、（例えば、ＡＰ １１０またはＳＴＡ １２０のような）アクセスポイント（ＡＰ）または局（ＳＴＡ）によって、実行され得る。
【０１１２】
[0134]動作１３００は、１３０２において、ビームフォーミングトレーニングに関連付けられたフレームを生成することによって開始し、フレームは少なくとも１つのセクタスイープ（ＳＳＷ）フィールドを備え、ここにおいて、ＳＳＷフィールドはビームフォーミングトレーニングの間に使用されるＭＩＭＯ送信方式に関連付けられたＲＦチェーンのインジケーションを備える。１３０４において、装置は、ＭＩＭＯ送信方式に関連付けられたＲＦチェーンのインジケーションに基づいてビームフォーミングトレーニングを実行し得る。
【０１１３】
[0135]本明細書で開示された方法は、説明された方法を達成するための１つまたは複数のステップまたはアクションを備える。方法のステップおよび／またはアクションは、特許請求の範囲から逸脱することなく互いに置き換えられ得る。言い換えれば、ステップまたはアクションの特定の順序が明記されない限り、特定のステップおよび／またはアクションの順序および／または使用は、特許請求の範囲から逸脱することなく修正され得る。
【０１１４】
[0136]ここで使用される場合、アイテムのリスト「のうちの少なくとも１つ」を指す表現は、単一のメンバ（members）を含む、それらのアイテムの任意の組合せを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに同一の要素の重複を有する任意の組合せ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃのその他任意の順序）をカバーするように意図される。
【０１１５】
[0137]ここで使用される場合、「決定すること」という用語は、幅広い動作を包含する。例えば、「決定すること」は、計算すること（calculating）、計算すること（computing）、処理すること、導出すること、調査すること、ルックアップすること（例えば、表、データベース、または別のデータ構造においてルックアップすること）、確定すること、および同様のことを含み得る。また、「決定すること」は、受信すること（例えば、情報を受信すること）、アクセスすること（例えば、メモリにおけるデータにアクセスすること）、等を含み得る。また、「決定すること」は、解決すること、選択すること、選ぶこと、確立すること等を含み得る。
【０１１６】
[0138]いくつかのケースでは、フレームを実際に送信するのではなく、デバイスは、送信のためにフレームを出力するためのインターフェースを有し得る。例えば、プロセッサは、送信のためのＲＦフロントエンドに、バスインターフェースを介して、フレームを出力し得る。同様に、フレームを実際に受信するのではなく、デバイスは、別のデバイスから受信されるフレームを取得するためのインターフェースを有し得る。例えば、プロセッサは、送信のためのＲＦフロントエンドから、バスインターフェースを介して、フレームを取得（または受信）し得る。
【０１１７】
[0139]上記で説明された方法の様々な動作は、対応する機能を実行することが可能な任意の適切な手段によって実行され得る。手段は、それに限定されるものではないが、回路、特定用途向け集積回路（ＡＳＩＣ）、またはプロセッサを含む、様々なハードウェアおよび／またはソフトウェアの（１つまたは複数の）コンポーネントおよび／または（１つまたは複数の）モジュールを含み得る。一般に、図面に例示された動作がある場合、これらの動作は、同様の番号付けを有する、対応する対をなすミーンズプラスファンクションのコンポーネントを有し得る。例えば、図７に例示された動作７００、図８に例示された動作８００、図１０の動作１０００、図１１の動作１１００、図１２の動作１２００、および図１３の動作１３００は、それぞれ、図７Ａに例示された手段７００Ａ、図８Ａに例示された手段８００Ａ、図１０Ａに例示された手段１０００Ａ、図１１Ａに例示された手段１１００Ａ、図１２Ａに例示された手段１２００Ａ、および図１３Ａに例示された手段１３００Ａに対応する。
【０１１８】
[0140]例えば、受信するための手段および取得するための手段は、図２に例示されたＳＴＡ １２０の受信機（例えば、トランシーバ２５４の受信機ユニット）および／または（１つまたは複数の）アンテナ２５２、または、図２に例示されたアクセスポイント１１０の受信機（例えば、トランシーバ２２２の受信機ユニット）および／または（１つまたは複数の）アンテナ２２４であり得る。送信するための手段は、図２に例示されたＳＴＡ １２０の送信機（例えば、トランシーバ２５４の送信機ユニット）および／または（１つまたは複数の）アンテナ２５２、または、図２に例示されたアクセスポイント１１０の送信機（例えば、トランシーバ２２２の送信機ユニット）および／または（１つまたは複数の）アンテナ２２４であり得る。出力するための手段はまた、例えば、送信のためにプロセッサからＲＦフロントエンドへフレームを出力するための送信機またはバスインターフェースであり得る。
【０１１９】
[0141]推定するための手段、実行するための手段、生成するための手段、含めるための手段、決定するための手段、および提供するための手段は、処理システムを備え得、それは、図２に例示されたＳＴＡ １２０のＲＸデータプロセッサ２７０、ＴＸデータプロセッサ２８８、および／またはコントローラ２８０、または、図２に例示されたアクセスポイント１１０のＴＸデータプロセッサ２１０、ＲＸデータプロセッサ２４２、および／またはコントローラ２３０のような、１つまたは複数のプロセッサを含み得る。
【０１２０】
[0142]ある特定の態様によると、このような手段は、ＰＨＹヘッダーにおける即時反応のインジケーションを提供するために、上述された様々なアルゴリズムを（例えば、ハードウェアにおいて、またはソフトウェア命令を実行することによって）実現することによって、対応する機能を実行するように構成された処理システムによって実現され得る。例えば、一度目に（at a first time）別の装置への送信のために第１のフレームを出力するためのアルゴリズムと、二度目に(at a second time)第１のフレームに応答して他の装置によって送信された第２のフレームを取得するためのアルゴリズムと、送信インターフェースを介した他の装置への送信のために第３のフレームを生成するためのアルゴリズム、第３のフレームは、一回目と二回目の差を示す情報および第１のフレームのデパーチャ角（an angle of departure）または第２のフレームの到来角（an angle of arrival）のうちの少なくとも１つのインジケーションを含む。別の例では、他の装置から受信された第１のフレームに応答して別の装置への送信のために第２のフレームを出力するためのアルゴリズムと、第２のフレームに応答して他の装置によって送信された第３のフレームを取得するためのアルゴリズム、ここで、第３のフレームは、一度目と二度目の差を示す情報および第１のフレームのデパーチャ角または第２のフレームの到来角のうちの少なくとも１つのインジケーションを含む、と、一度目と二度目の差および第１のフレームのデパーチャ角または第２のフレームの到来角のうちの少なくとも１つに少なくとも部分的に基づいて他の装置と比較して装置の位置を推定するためのアルゴリズム。
【０１２１】
[0143]本開示に関して説明された様々な例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタロジック、個別ハードウェアコンポーネント、または本明細書で説明された機能を実行するように設計されたこれらの任意の組み合わせを用いて実現または実行され得る。汎用プロセッサは、マイクロプロセッサであり得るが、代替として、プロセッサは、任意の商業的に利用可能なプロセッサ、コントローラ、マイクロコントローラ、またはステートマシンであり得る。プロセッサはまた、コンピューティングデバイスの組み合わせ、例えば、ＤＳＰとマイクロプロセッサの組み合わせ、複数のマイクロプロセッサ、ＤＳＰコアと連携した１つまたは複数のマイクロプロセッサ、または任意の他のそのような構成として実現され得る。
【０１２２】
[0144]ハードウェアで実現された場合、実例的なハードウェア構成は、ワイヤレスノード中の処理システムを備え得る。処理システムは、バスアーキテクチャを用いて実現され得る。バスは、処理システムの特定のアプリケーションおよび全体的な設計制約に依存して、任意の数の相互接続バスおよびブリッジを含み得る。バスは、プロセッサ、機械可読媒体、およびバスインターフェースを含む様々な回路を共にリンクし得る。バスインターフェースは、特に、ネットワークアダプタをバスを介して処理システムに接続するために使用され得る。ネットワークアダプタは、ＰＨＹレイヤの信号処理機能を実現するために使用され得る。ＳＴＡ １２０（図１を参照）のケースでは、ユーザインターフェース（例えば、キーパッド、ディスプレイ、マウス、ジョイスティック、等）もまた、バスに接続され得る。バスはまた、タイミングソース、周辺機器、電圧レギュレータ、電力管理回路、等のような様々な他の回路をリンクさせ得、これらは、当該技術分野において周知であるのでこれ以上説明されない。プロセッサは、１つまたは複数の汎用および／または専用プロセッサを用いて実現され得る。例は、マイクロプロセッサ、マイクロコントローラ、ＤＳＰプロセッサ、およびソフトウェアを実行することができる他の回路を含む。当業者であれば、特定のアプリケーションおよびシステム全体に課せられる全体的な設計制約に依存して、処理システムに関して説明された機能を実現するのに最良の方法を認識するであろう。
【０１２３】
[0145]ソフトウェアで実現される場合、機能は、コンピュータ可読媒体上で、１つまたは複数の命令またはコードとして送信または記憶され得る。ソフトウェアは、ソフトウェア、ファームウェア、ミドルウェア、マイクロコード、ハードウェア記述言語、またはその他の方法で称されるかにかかわらず、命令、データ、またはこれらの任意の組み合わせを意味するように広く解釈されるべきである。コンピュータ可読媒体は、１つの場所から別の場所へのコンピュータプログラムの転送を容易にする任意の媒体を含む通信媒体とコンピュータ記憶媒体の両方を含む。プロセッサは、バスの管理と、機械可読記録媒体上に記憶されたソフトウェアの実行を含む汎用処理とを担い得る。コンピュータ可読記憶媒体は、プロセッサが記憶媒体から情報を読み取り、および／または記憶媒体に情報を書き込むことができるように、プロセッサに結合され得る。代替として、記憶媒体はプロセッサに一体化することができる。例として、機械可読媒体は、伝送回線、データによって変調された搬送波、および／またはワイヤレスノードとは別個にその上に記憶された命令を有するコンピュータ可読記憶媒体を含み得、これら全ては、バスインターフェースを通じてプロセッサによってアクセスされ得る。代替として、またはこれに加えて、機械可読媒体、またはその任意の部分は、キャッシュおよび／または汎用レジスタファイルでのケースでそうであり得るように、プロセッサに組み込まれ得る。機械可読記憶媒体の例は、例として、ＲＡＭ（ランダムアクセスメモリ）、フラッシュメモリ、ＲＯＭ（読取専用メモリ）、ＰＲＯＭ（プログラマブル読取専用メモリ）、ＥＰＲＯＭ（消去可能なプログラマブル読取専用メモリ）、ＥＥＰＲＯＭ（登録商標）（電気的に消去可能なプログラマブル読取専用メモリ）、レジスタ、磁気ディスク、光ディスク、ハードドライブ、または任意の他の適切な記憶媒体、またはこれらの任意の組み合わせを含み得る。機械可読媒体は、コンピュータプログラム製品に組み込まれ得る。
【０１２４】
[0146]ソフトウェアモジュールは、単一の命令、または多くの命令を備え得、いくつかの異なるコードセグメントにわたって、異なるプログラム間で、および複数の記憶媒体にわたって、分散され得る。コンピュータ可読媒体は、いくつかのソフトウェアモジュールを備え得る。ソフトウェアモジュールは、プロセッサのような装置によって実行されると、様々な機能を処理システムに実行させる命令を含む。ソフトウェアモジュールは、送信モジュールおよび受信モジュールを含み得る。各ソフトウェアモジュールは、単一の記憶デバイス内に存在し得るか、または複数の記憶デバイスにわたって分散され得る。例として、ソフトウェアモジュールは、トリガリングイベントが生じたときに、ハードドライブからＲＡＭにロードされ得る。ソフトウェアモジュールの実行中、プロセッサは、アクセス速度を増大させるために、命令のうちのいくつかをキャッシュにロードし得る。その後、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行するとき、プロセッサによって実現されるということが理解されるであろう。
【０１２５】
[0147]また、いずれの接続手段も、厳密には、コンピュータ可読媒体と称される。例えば、ソフトウェアが、同軸ケーブル、光ファイバーケーブル、ツイストペア、デジタル加入者回線（ＤＳＬ）、または赤外線（ＩＲ）、無線、およびマイクロ波のようなワイヤレス技術を使用して、ウェブサイト、サーバ、または他の遠隔ソースから送信される場合には、同軸ケーブル、光ファイバーケーブル、ツイストペア、ＤＳＬ、または赤外線、無線、およびマイクロ波のようなワイヤレス技術は、媒体の定義に含まれる。本明細書で使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスク、およびブルーレイ（登録商標）ディスクを含み、ここでディスク（disks）は、通常磁気的にデータを再生し、一方ディスク（discs）は、レーザーを用いて光学的にデータを再生する。したがって、いくつかの態様では、コンピュータ可読媒体は、非一時的なコンピュータ可読媒体（例えば、有形媒体）を備え得る。加えて、他の態様では、コンピュータ可読媒体は、一時的なコンピュータ可読媒体（例えば、信号）を備え得る。上記の組合せもまた、コンピュータ可読媒体の範囲内に含まれるべきである。
【０１２６】
[0148]したがって、ある特定の態様は、ここで提示された動作を実行するためのコンピュータプログラム製品を備え得る。例えば、そのようなコンピュータプログラム製品は、その上に命令が記憶された（および／または符号化された）コンピュータ可読媒体を備え得、命令は、本明細書で説明された動作を実行するために１つまたは複数のプロセッサによって実行可能である。例えば、一回目に別の装置への送信のために第１のフレームを出力するための命令と、二回目に第１のフレームに応答して他の装置によって送信された第２のフレームを取得するための命令と、送信インターフェースを介した他の装置への送信のために第３のフレームを生成するための命令であり、第３のフレームは、一回目と二回目の差を示す情報および第１のフレームの離脱角または第２のフレームの到来角のうちの少なくとも１つのインジケーションを含む。別の例では、他の装置から受信された第１のフレームに応答して別の装置への送信のために第２のフレームを出力するための命令と、第２のフレームに応答して他の装置によって送信された第３のフレームを取得するための命令と、ここで、第３のフレームは、一回目と二回目の差を示す情報および第１のフレームの離脱角または第２のフレームの到来角のうちの少なくとも１つのインジケーションを含む、一回目と二回目の差および第１のフレームの離脱角または第２のフレームの到来角のうちの少なくとも１つに少なくとも部分的に基づいて他の装置に関連する装置の位置を推定するための命令である。
【０１２７】
[0149]さらに、本明細書で説明された方法および技法を実行するためのモジュールおよび／または他の適切な手段は、適宜、ＳＴＡおよび／または基地局によって、ダウンロードされ得ること、および／または、別の方法で取得され得ることが理解されるべきである。例えば、そのようなデバイスは、本明細書で説明された方法を実行するための手段の転送を容易にするためにサーバに結合されることができる。代替として、本明細書で説明された様々な方法は、ＳＴＡおよび／または基地局が、デバイスに記憶手段を結合または提供する際に、様々な方法を得ることができるように、記憶手段（例えば、ＲＡＭ、ＲＯＭ、コンパクトディスク（ＣＤ）またはフロッピーディスクのような物理記憶媒体、等）を介して提供されることができる。さらに、本明細書で説明される方法および技法をデバイスに提供するための任意の他の適切な技法が、利用されることができる。
【０１２８】
[0150]特許請求の範囲は、上記に例示された厳密な構成およびコンポーネントに限定されないことが理解されるべきである。様々な修正、変更、および変形が、特許請求の範囲から逸脱することなく、上記に説明された方法および装置の配置、動作および詳細において行われ得る。
【図１】
2019507535.tif 000003
【図２】
2019507535.tif 000004
【図３】
2019507535.tif 000005
【図４】
2019507535.tif 000006
【図５】
2019507535.tif 000007
【図６】
2019507535.tif 000008
【図７】
2019507535.tif 000009
【図７Ａ】
2019507535.tif 000010
【図８】
2019507535.tif 000011
【図８Ａ】
2019507535.tif 000012
【図９Ａ】
2019507535.tif 000013
【図９Ｂ】
2019507535.tif 000014
【図１０】
2019507535.tif 000015
【図１０Ａ】
2019507535.tif 000016
【図１１】
2019507535.tif 000017
【図１１Ａ】
2019507535.tif 000018
【図１２】
2019507535.tif 000019
【図１２Ａ】
2019507535.tif 000020
【図１３】
2019507535.tif 000021
【図１３Ａ】
2019507535.tif 000022
【国際調査報告】
2019507535.tif 000023
2019507535.tif 000024
2019507535.tif 000025